(57)【要約】  一般式［Ｍ１ｍ＋］ｘ［Ｍ２ｎ−］ｙ（式中、・ｘｍ＝ｙｎであり、・［Ｍ１ｍ＋］および［Ｍ２ｎ−］は、相補的発光スペクトルを有するイオン性発光部位であり、一方が可視スペクトルの青色領域で発光し、もう一方が可視スペクトルの赤色領域で発光し、かつＭ１およびＭ２のうちの少なくとも１つが金属錯体である）の錯塩を含む白色光発光材料。【特許請求の範囲】
【請求項１】
一般式［Ｍ１ｍ＋］ｘ［Ｍ２ｎ−］ｙの錯塩を含む白色光発光材料であって、式中、
・ｘｍ＝ｙｎであり、
・［Ｍ１ｍ＋］および［Ｍ２ｎ−］は、相補的発光スペクトルを有するイオン性発光部位であり、一方は可視スペクトルの青色領域で発光し、もう一方は可視スペクトルの赤色領域で発光し、かつ
Ｍ１およびＭ２のうちの少なくとも１つが金属錯体である、白色光発光材料。
【請求項２】
［Ｍ１ｍ＋］ｘおよび［Ｍ２ｎ−］ｙのうちの１つが、範囲５５０〜７４０ｎｍの最大発光波長を有するその発光スペクトルを有し、もう一方が、範囲３９０〜５５０ｎｍの最大発光波長を有するその発光スペクトルを有し、かつ前記錯塩が、範囲（０．２００，０．２００）〜（０．５５０，０．５００）のＣＩＥ１９３１座標（ｘ，ｙ）を有する光を発することができる、請求項１に記載の白色光発光材料。
【請求項３】
少なくとも３．０の誘電率を有する液体、ゲルまたは固体の極性、非イオン性媒体またはポリマーをマトリックスとしてさらに含む、請求項１または２のいずれか一項に記載の白色光発光材料。
【請求項４】
前記極性、非イオン性媒体が、正孔および／または電子輸送材料である、請求項３に記載の白色光発光材料。
【請求項５】
前記極性、非イオン性媒体が、イオン性液体などのイオン性ドーパントを含む、請求項３または４のいずれか一項に記載の白色光発光材料。
【請求項６】
上記式中、Ｍ１は、Ｄ（Ｘ）２（Ｙ）２、Ｄ（Ｘ）２Ｚ、ＦＴＬ、Ｇ（Ｕ）２およびＣｕＰ２からなる群から選択され、かつ／またはＭ２はＥ（Ｗ）２Ｓであり、式中、
Ｄは、Ｉｒ、Ｒｕ、ＯｓおよびＲｈからなる群から選択される金属イオンを表し；
Ｘは互いに独立してそれぞれが、一般式ＩまたはＩａ
【化１】
2012516924.tif 000039
の化合物を表し、
但し、一般式Ｉの化合物は、ｓｐ２混成炭素原子１個とｓｐ２混成窒素原子１個を介してＤに配位し、一般式Ｉａの化合物は、ｓｐ２混成窒素原子２個を介してＤに配位し；
上記式中、Ｒ１は、Ｆ、Ｃｌ、−Ｏ−アルキル、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ１およびＲ２は一体となって、−ＣＨ＝ＣＨ−ＣＨ＝ＣＨ−を表し；
Ｒ２は、−Ｏ−アルキル、Ｆ、Ｃｌ、Ｂｒ、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ２およびＲ３は一体となって、−ＣＨ＝ＣＨ−ＣＨ＝ＣＨ−を表し；
Ｒ３は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ（アルキル）３からなる群から選択される部位を意味し；または
Ｒ３およびＲ４は一体となって、−ＣＨ＝ＣＨ−ＣＨ＝ＣＨ−を表し；
Ｒ４は、−Ｃ（＝Ｏ）−Ｏ−アルキル、−Ｃ（＝Ｏ）−ＣＦ３、−Ｏ−アルキル、アルキル、Ｈ、Ｆ、ＣｌおよびＢｒからなる群から選択される部位を意味し；または
Ｒ４およびＲ５は一体となって、−ＣＨ＝ＣＨ−を表し；
Ｒ５は、−Ｃ（＝Ｏ）−Ｏ−アルキル、−Ｃ（＝Ｏ）−ＣＦ３、−Ｏ−アルキル、アルキル、Ｈ、Ｆ、ＣｌおよびＢｒからなる群から選択される部位を意味し；または
Ｒ５およびＲ６は一体となって、−ＣＨ＝ＣＨ−ＣＨ＝ＣＨ−または−ＣＨ２−ＣＨ＝ＣＨ−ＣＨ２−を表し；
Ｒ６は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ（アルキル）３からなる群から選択される部位を意味し；または
Ｒ６およびＲ７は一体となって、−ＣＨ＝ＣＨ−ＣＨ＝ＣＨ−または−ＣＨ２−ＣＨ＝ＣＨ−ＣＨ２−を表し；
Ｒ７は、Ｈ、Ｆ、Ｃｌ、Ｂｒ、−ＣＮ、−ＣＦ３、−Ｏ−アルキル、アルキル、−Ｃ（＝Ｏ）−Ｏ−アルキルおよび−Ｃ（＝Ｏ）−ＣＦ３からなる群から選択される部位を意味し；または
Ｒ７およびＲ８は一体となって、−ＣＨ３＝ＣＨ−ＣＨ＝ＣＨ−を表し；
Ｒ８は、−ＣＮ、−ＣＦ３、−Ｃ（＝Ｏ）−ＣＦ３、−Ｃ（＝Ｏ）−Ｏ−アルキル、Ｏ−アルキル、アルキル、Ｈ、Ｆ、ＣｌおよびＢｒからなる群から選択される部位を意味し；
Ｙは互いに独立してそれぞれが、Ｆ、Ｃｌ、Ｂｒ、ＣＨ３、−Ｏ−アルキル、ＯＨ、−ＣＮ、−ＯＣＮおよび−ＳＣＮからなる群から選択される部位を表し；
Ｚは、一般式ＩＩまたはＩＩａ
【化２】
2012516924.tif 000040
の化合物を表し、
式中、Ｒ９、Ｒ１０、Ｒ１１およびＲ１２は互いに独立してそれぞれが、−Ｃ（＝Ｏ）−Ｏ−アルキル、アルキル、フェニル、Ｈ、−Ｎ（アルキル）２、Ｆ、Ｃｌ、Ｂｒ、−Ｏ−アルキルおよび−ＣＦ３からなる群から選択される部位を表し；
但し、一般式ＩＩおよびＩＩａの化合物は、ｓｐ２混成窒素原子２個を介してＤに配位し；
Ｆは、ＰｔおよびＡｕからなる群から選択される金属イオンを表し；
Ｔは、一般式ＩＩＩ、ＩＩＩａまたはＩＩＩｂ
【化３】
2012516924.tif 000041
の化合物を表し、
但し、一般式ＩＩＩおよびＩＩＩｂの化合物は、ｓｐ２混成炭素原子１個およびｓｐ２混成窒素原子２個を介してＦに配位し、かつ一般式ＩＩＩの化合物は、ｓｐ２混成窒素原子３個を介してＦに配位し；
上記式中、Ｒ２５、Ｒ２６、Ｒ２７、Ｒ２８、Ｒ２９、Ｒ３０、Ｒ３１、Ｒ３２およびＲ３３は互いに独立してそれぞれが、Ｆ、Ｃｌ、−ＣＮ、−Ｃ（＝Ｏ）−Ｏ−アルキル、アルキル、−Ｏ−アルキル、フェニル、Ｈ、−Ｎ（アルキル）２および−ＣＦ３からなる群から選択される部位を表し；
Ｌは、ＣＯ、−Ｎ（アルキル）２、−ＮＨ２（アルキル）、Ｆ、Ｃｌ、Ｂｒ、Ｉ、ＣＮ、ＯＣＮ、−Ｏ−アルキル、−ＯＨおよびＳＣＮからなる群から選択される配位子を表し；
Ｇは、Ｉｒ、Ｒｕ、ＯｓおよびＲｈからなる群から選択される金属イオンを表し；
Ｕは互いに独立してそれぞれが、一般式ＩＶ、ＩＶａまたはＩＶｂ
【化４】
2012516924.tif 000042
の化合物を表し、
但し、一般式ＩＶａおよびＩＶｂの化合物は、ｓｐ２混成炭素原子１個およびｓｐ２混成窒素原子２個を介してＧに配位し、かつ一般式ＩＶの化合物は、ｓｐ２混成窒素原子３個を介してＧに配位し；
上記式中、Ｒ３４、Ｒ３５、Ｒ３６、Ｒ３７、Ｒ３８、Ｒ３９、Ｒ４０、Ｒ４１およびＲ４２は互いに独立してそれぞれが、−Ｏ−アルキル、Ｆ、Ｃｌ、−ＣＮ、−Ｃ（＝Ｏ）−Ｏ−アルキル、アルキル、フェニル、Ｈ、−Ｎ（アルキル）２および−ＣＦ３を表し；
Ｐは互いに独立してそれぞれが、一般式ＩＸまたはＸ
【化５】
2012516924.tif 000043
の化合物を表し、
式中、Ｒ６３、Ｒ６４、Ｒ６５およびＲ６６は互いに独立して、それぞれがＦ、Ｃｌ、−ＣＮ、−Ｃ（＝Ｏ）−Ｏ−アルキル、アルキル、−Ｏ−アルキル、フェニル、Ｈ、−Ｎ（アルキル）２および−ＣＦ３からなる群から選択される部位を意味し；
但し、一般式ＩＸおよびＸの化合物は、ｓｐ２混成窒素原子２個を介してＣｕに配位し；
Ｅは、Ｉｒ、Ｒｕ、ＯｓおよびＲｈからなる群から選択される金属イオンを表し；
Ｗは互いに独立してそれぞれが、一般式Ｉ’またはＩａ’
【化６】
2012516924.tif 000044
の化合物を表し、
但し、一般式Ｉ’の化合物は、ｓｐ２混成炭素原子１個およびｓｐ２混成窒素原子１個を介してＥに配位し、かつ一般式Ｉａ’の化合物は、ｓｐ２混成窒素原子２個を介してＥに配位し；
上記式中、Ｒ１３は、Ｆ、Ｃｌ、−Ｏ−アルキル、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ１３およびＲ１４が一体となって、−ＣＨ＝ＣＨ−ＣＨ＝ＣＨ−を表し；
Ｒ１４は、−Ｃ（＝Ｏ）−Ｏ−アルキル、−Ｃ（＝Ｏ）−ＣＦ３、−ＣＦ３、−ＣＮ、−Ｏ−アルキル、Ｆ、Ｃｌ、ＢｒおよびＨからなる群から選択される部位を意味し；または
Ｒ１４およびＲ１５が一体となって、−ＣＨ＝ＣＨ−ＣＨ＝ＣＨ−を表し；
Ｒ１５は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ（アルキル）３からなる群から選択される部位を意味し；または
Ｒ１５およびＲ１６が一体となって、−ＣＨ＝ＣＨ−ＣＨ＝ＣＨ−を表し；
Ｒ１６は、Ｈ、Ｆ、Ｃｌ、−ＣＮ、−ＣＦ３、アルキル、−Ｏ−アルキルおよびＢｒからなる群から選択される部位を意味し；または
Ｒ１６およびＲ１７が一体となって、−ＣＨ＝ＣＨ−を表し；
Ｒ１７は、Ｈ、−Ｏ−アルキル、アルキル、−ＣＮ、−ＣＦ３、Ｆ、ＣｌおよびＢｒからなる群から選択される部位を意味し；または
Ｒ１７およびＲ１８が一体となって、−ＣＨ＝ＣＨ−ＣＨ＝ＣＨ−または−ＣＨ２−ＣＨ＝ＣＨ−ＣＨ２−を表し；
Ｒ１８は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ（アルキル）３からなる群から選択される部位を意味し；または
Ｒ１８およびＲ１９が一体となって、−ＣＨ＝ＣＨ−ＣＨ＝ＣＨ−または−ＣＨ２−ＣＨ＝ＣＨ−ＣＨ２−を表し；
Ｒ１９は、Ｈ、−Ｏ−アルキル、アルキル、−ＣＮ、−ＣＦ３、−Ｃ（＝Ｏ）−ＣＦ３、Ｆ、ＣｌおよびＢｒからなる群から選択される部位を意味し；または
Ｒ１９およびＲ２０が一体となって、−ＣＨ＝ＣＨ−ＣＨ＝ＣＨ−を表し；
Ｒ２０は、−Ｏ−アルキル、アルキル、−ＣＮ、−ＣＦ３、−Ｃ（＝Ｏ）−ＣＦ３、Ｆ、ＣｌおよびＢｒからなる群から選択される部位を意味し；
Ｓは、一般式ＩＩ’またはＩＩａ’
【化７】
2012516924.tif 000045
の化合物を表し、
式中、Ｒ２１、Ｒ２２、Ｒ２３およびＲ２４は互いに独立してそれぞれが、Ｈ、−Ｃ（＝Ｏ）−Ｏ−アルキル、アルキル、−Ｏ−アルキル、−ＣＮ、フェニル、Ｈ、−Ｎ（アルキル）２および−ＣＦ３からなる群から選択される部位を表す、請求項の１から５いずれか一項に記載の白色光発光材料。
【請求項７】
［Ｍ１ｍ＋］または［Ｍ２ｎ−］が、小分子または最大１０個の反復単位を有するオリゴマーまたはイオン性基で置換されている有機分子から選択される発光有機非金属イオンである、請求項１から５のいずれか一項に記載の白色光発光材料。
【請求項８】
［Ｍ１ｍ＋］または［Ｍ２ｎ−］が、アントラセン、テトラセン、フタロシアニン、キサンテン、ペリレン、ピレン、ルブレン、クマリン、ローダミン、ポルフィリン、コリン、キノリン、キナクリドン、ジシアノメチレンピラン、シアニン、アゾ染料、カルボニル染料、ポリエン、ポリメチン、チオピラン、ピリリウム、チアピリリウム、フルオレン、オリゴフルオレン、インデノフルオレン、オリゴインデノフルオレン、ペリフランテン、インデノペリレン、ビス（アジニル）アミンホウ素、ビス（アジニル）メタン、フルオレセイン、カルボスチリル、アントラキノンおよびボレートのイオン性誘導体であり、前記有機誘導体が、ＳＯ３−、ＳＯ４−、ＣＯＯ−および−ＮＲ３＋（式中、Ｒがそれぞれ独立して、例えばＣ１−Ｃ６アルキルまたはＣ５−Ｃ１０アリールを表す）から選択されるイオン性基で置換されている、請求項７に記載の白色光発光材料。
【請求項９】
Ｍ１が、式Ｖに相当するペリレン誘導体または式ＶＩＩに相当するフルオレン誘導体であり、
【化８】
2012516924.tif 000046
式中、Ｒ４３およびＲ４４は互いに独立してそれぞれが、メチル、エチル、ｎ−プロピル、イソプロピル、ｎ−ブチル、ｔ−ブチルおよびｎ−ペンチルからなる群から選択される部位を意味し；
Ｒ４５、Ｒ４６、Ｒ４７およびＲ４８は互いに独立してそれぞれが、Ｈ、メチル、−Ｏ−メチル、Ｆ、ＣｌおよびＢｒからなる群から選択される部位を意味し；
【化９】
2012516924.tif 000047
式中、Ｒ５３、Ｒ５４、Ｒ５５、Ｒ５６、Ｒ５７およびＲ５８は互いに独立してそれぞれが、Ｈ、メチル、エチル、ｎ−プロピル、イソプロピル、ｎ−ブチル、ｔ−ブチル、ｎ−ペンチルからなる群から選択される部位を意味し；
Ｒ５９およびＲ６０は互いに独立してそれぞれが、ｎ−ペンチル、ネオペンチル、イソペンチル、ｎ−ヘキシル、ｎ−ヘプチル、ｎ−オクチルまたはエチルエキシルからなる群から選択される部位を意味する、請求項８に記載の白色光発光材料。
【請求項１０】
Ｍ２が、式ＶＩに相当するペリレン誘導体または式ＶＩＩＩに相当するフルオレン誘導体であり、
【化１０】
2012516924.tif 000048
式中、Ｒ４９、Ｒ５０、Ｒ５１およびＲ５２は互いに独立してそれぞれが、Ｈ、メチル、−Ｏ−メチル、Ｆ、ＣｌおよびＢｒからなる群から選択される部位を意味し；
【化１１】
2012516924.tif 000049
式中、Ｒ６１およびＲ６２は互いに独立してそれぞれが、ｎ−ペンチル、ネオペンチル、イソペンチル、ｎ−ヘキシル、ｎ−ヘプチル、ｎ−オクチルまたはエチルヘキシルからなる群から選択される部位を意味する、請求項８に記載の白色光発光材料。
【請求項１１】
［Ｍ１ｍ＋］ｘ［Ｍ２ｎ−］ｙが、以下の式：
【化１２−１】
2012516924.tif 000050
【化１２−２】
2012516924.tif 000051
のいずれかに相当する、請求項１から５のいずれか一項に記載の白色光発光材料。
【請求項１２】
任意に少なくとも１種類の溶媒の存在下にて、範囲１０〜５０℃、好ましくは範囲１５〜３０℃の温度で、一般式［Ｍ１ｍ＋］ｘＡ−（式中、Ｍ１は、請求項１から４のいずれかに従って定義され、Ａ−は、Ｃｌ−、Ｂｒ−、ＰＦ６−、ＢＦ４−およびＦ−からなる群から選択されるアニオンを意味する）の少なくとも１種類の塩を一般式［Ｍ２ｎ−］ｙＣ＋（式中、Ｍ２は、請求項１から４のいずれかに従って定義され、Ｃは、Ｎａ＋、Ｋ＋、Ｌｉ＋およびＮＲ４＋からなる群から選択されるカチオンを意味し、Ｒは互いに独立してそれぞれがＨまたはアルキルを意味する）の少なくとも１種類の塩と反応させて、一般式［Ｍ１ｍ＋］ｘ［Ｍ２ｎ−］ｙの金属錯体を得て、それを任意に精製および／または単離する、請求項１から１１のいずれか一項に記載の錯塩を製造する方法。
【請求項１３】
発光層を含む発光素子であって、前記発光層が、請求項１から１１のいずれかに記載の発光材料を含み、かつ波長３００〜５００ｎｍで励起するか、または前記発光層に電圧をかけると、範囲（０．２００，０．２００）〜（０．５５０，０．５００）のＣＩＥ１９３１座標（ｘ，ｙ）を有する光を発することができる、発光素子。
【請求項１４】
波長２５０〜５００ｎｍで光を発することができる光源をさらに含む、請求項１３に記載の発光素子。
【請求項１５】
前記発光層が、前記素子の唯一の発光層である、請求項１３または１４のいずれか一項に記載の発光素子。
【発明の詳細な説明】
【技術分野】
【０００１】
本発明は、金属錯塩ならびに発光素子における発光材料としてのその使用に関する。特に本発明は、有機発光素子（ＯＬＥＤ）における白色エミッターとしてのその使用に関する。
【背景技術】
【０００２】
白色発光ＯＬＥＤは、様々な技術によって得られる。例えば、それらは多層構造を使用することによって得られ、その構造において各層が異なる発光スペクトルを有し、かつ多層の発光スペクトルが相補的であり、全可視スペクトルをカバーし、その結果白色発光が得られる。もう１つのアプローチは、広域発光スペクトルを有する単一分子の使用である。さらに他のアプローチは、単層における、異なる波長で発光する複数のエミッターの使用である。これらのアプローチは今までのところ、真空製造小分子ＯＬＥＤに適していることから、中性分子を要していた。白色光発光の発生に最も多く使用されるアプローチは、２または３つの発光層を含む素子の製造を含む。このため、白色光発光素子（ＷＯＬＥＤ）の製造は、実際の照明技術と競合することができない高価なプロセスとなる。
【０００３】
（特許文献１）には、赤色発光ユーロピウム錯体への有機結合によって配位された２つの青色発光イリジウム中心を含むトリス−核（ｔｒｉｓ−ｎｕｃｌｅａｒ）白色エミッター分子が開示されており、高エネルギー発光中心から低エネルギー発光中心への部分的エネルギー移動によって、ほぼ白色の光が放出される。共有結合した発光中心間のかかる部分的エネルギー移動は、結合性基の長さを調整することにより、２つの発光中心間のリンカーを注意深く設計することによって制御することができる。これには、長く、単調な有機化学が必要である。
【先行技術文献】
【特許文献】
【０００４】
【特許文献１】国際公開第２００６／０２４９９７号パンフレット
【発明の概要】
【発明が解決しようとする課題】
【０００５】
本発明の目的は、製造が容易であり、かつエネルギー移動の程度が容易に制御される、エミッター、特に白色エミッターを提供することである。
【課題を解決するための手段】
【０００６】
第１の態様において、本発明は、１つまたは複数のアニオン発光部位の群の電荷を補う、１つまたは複数のカチオン発光部位の群からなる錯塩を含む発光材料に関し、前記部位の少なくとも１つは金属錯体であり、好ましくは前記部位の両方が金属錯体である。実施形態において、その部位は相補的発光スペクトルを有し、そのため発光材料が白色発光材料としての役割を果たすことができる。各発光部位はリン光性であることができる。特に第１の態様の実施形態は、一般式［Ｍ１ｍ＋］ｘ［Ｍ２ｎ−］ｙの錯塩を含む白色光発光材料に関し、式中、
・ｘｍ＝ｙｎであり、
・［Ｍ１ｍ＋］および［Ｍ２ｎ−］は、相補的発光スペクトルを有するイオン性発光部位であり、一方は可視スペクトルの青色領域で発光し、もう一方は可視スペクトルの赤色領域で発光し、
Ｍ１およびＭ２のうちの少なくとも１つが金属錯体である。
【０００７】
第２の態様において、本発明は、発光材料、特に本発明の第１の態様による錯塩を製造する方法に関する。
【０００８】
第３の態様において、本発明は、発光層を含む発光素子に関し、前記発光層は、本発明の第１の態様による発光材料を含むか、またはそれからなる。
【０００９】
第４の態様において、本発明は、発光素子の発光層における本発明の第１の態様による白色光発光材料の使用に関する。
【００１０】
本発明の実施形態の利点は、白色光発光が、材料の単層によって得られることである。単一発光層素子は、製造が容易かつ安価である。
【００１１】
本発明の実施形態の他の利点は、金属錯塩の各エミッターの個々の最適化を可能にすることによって、微調整された発光への万能なアプローチを提供することである。
【００１２】
本発明の実施形態の他の利点は、先行技術ではリンカーの合成的組込みが必要であるのに対して、発光材料を製造するために必要とされる合成工程数が最小限であることである。
【００１３】
本発明の実施形態の更なる利点は、本発明の実施形態によるエミッターのエネルギー供与体部分とエネルギー受容体部分の間のエネルギー移動の程度が、エミッターが接触する媒体の極性（局所および／または全体極性）を変化させることによって、かつ／またはそれにおける偏光性ドーパントの濃度を変化させることによって、容易に制御することができることである。先行技術では、エネルギー移動の程度を変化させることは、新たな合成によりリンカーの長さを変化させることを意味した。
【００１４】
本発明の特別な、好ましい態様は、添付の独立請求項および従属請求項に示される。独立請求項からの特徴は、特許請求の範囲に明示されているだけでなく、適宜示されている、従属請求項の特徴、および他の独立請求項の特徴と組み合わせられる。
【００１５】
この分野では素子の絶え間ない改善、変化および進化があったが、本発明の概念は、従来の慣習からの逸脱を含む実質的に新しい改善を表すと考えられ、この種のより効率的な、安定な、かつ信頼性のある素子が提供される。
【００１６】
本発明の上記の特性、特徴および利点は、本発明の原理を一例として説明する、添付の図面と共に取り入れられる以下の詳細な説明から明らかとなるだろう。この説明は、本発明の範囲を制限することなく単に実例として示されている。以下に示す参照図は、添付の図面を意味する。
【図面の簡単な説明】
【００１７】
【図１】青色発光アニオン金属錯体（ＥＢ１２３）（破線）、赤色発光カチオン金属錯体（ＥＢＰＰｂｐ）（四角）、本発明の実施形態による錯塩（ＥＢ１２４）（円）のジメチルスルホキシド（ＤＭＳＯ）中の吸収スペクトル、およびＥＢ１２３の吸収スペクトルとＥＢＰＰｂｐの吸収スペクトルの数値合計（実線）である。
【図２】青色発光アニオン金属錯体（ＥＢ１２３）のＤＭＳＯ中の吸収（＋）、励起（ｏ）および発光（実線）スペクトルである。
【図３】赤色発光アニオン金属錯体（ＥＢＰＰｂｐ）の吸収（＋）、励起（ｏ）および発光（実線）スペクトルである。
【図４】本発明の実施形態による錯塩（ＥＢ１２４）の吸収（＋）、励起（ｏ）および発光（実線）スペクトルである。
【図５】ビス錯塩（ＥＢ８７）の脱気ＤＭＳＯ中の発光スペクトル、４００ｎｍでの励起である。
【図６】単一錯塩（ＥＢ２６５）の脱気ＤＭＳＯ中の発光スペクトル、４００ｎｍでの励起である。
【図７】ビス錯塩（ＥＢ２６６）の脱気ＤＭＳＯ中の発光スペクトル、４００ｎｍでの励起である。
【図８】ビス錯塩（ＥＢ２６７）の脱気ＤＭＳＯ中の発光スペクトル、４００ｎｍでの励起である。
【発明を実施するための形態】
【００１８】
本発明は、特定の実施形態に関して、かつ特定の図面を参照して説明されているが、本発明はそれに制限されず、特許請求の範囲によってのみ制限される。記載の図面は、単なる概略図であり、非制限的である。図面において、要素のいくつかのサイズは誇張されており、説明的な目的で一律の縮尺に従わずに描かれている。その寸法および相対的な寸法は、本発明の実施に対して実際の縮小に一致しない。
【００１９】
さらに、明細書および特許請求の範囲における、第１、第２、第３等の用語は、格付けまたは他のいずれかの方法で一時的、空間的に必ずしも順序を説明するためではなく、類似の要素を区別するために使用される。そのように使用される用語は、適切な状況下で交換可能であり、かつ本明細書に記載の本発明の実施形態は、本明細書に記載または説明される以外の他の順序で作業することができることを理解されたい。
【００２０】
さらに、明細書および特許請求の範囲における上部、底部、上、下等の用語は、説明的な目的で使用されており、必ずしも相対的な位置を説明するものではない。そのように使用される用語は、適切な状況下で交換可能であり、かつ本明細書に記載の本発明の実施形態は、本明細書に記載または説明される以外の他の位置付けで作業することができることを理解されたい。
【００２１】
特許請求の範囲で使用される「含む」という用語は、その後に記載の手段に制限されると解釈すべきでなく；他の要素または工程を除外しないことを留意されたい。したがって、言及される指定の特徴、整数、工程または成分の存在を明記するものとして解釈されるべきであるが、１つまたは複数の他の特徴、整数、工程または成分、またはその群の存在または追加を排除するものではない。したがって、「手段ＡおよびＢを含む素子」の表現範囲は、要素ＡおよびＢのみからなる素子に限定されるべきではない。本発明に関して、単に関連する素子の要素がＡおよびＢであることを意味する。
【００２２】
本明細書全体を通して「一実施形態」または「実施形態」の言及は、その実施形態に関して記述される特定の特徴、構造または特性が、本発明の少なくとも１つの実施形態に含まれることを意味する。したがって、本明細書全体の様々な箇所での「一実施形態において」または「実施形態において」のフレーズの出現は、必ずしもすべて同じ実施形態に言及しているわけではない。さらに、特定の特徴、構造または特性は、１つまたは複数の実施形態において、本開示内容から当業者には明らかであるだろう、いずれかの適切な手法で組み合わせられる。
【００２３】
同様に、本明細書の例示的な実施形態の説明において、本発明の種々の特徴は時に、開示内容を簡素化し、種々の本発明の態様の１つまたは複数の理解を助ける目的で、１つの実施形態、図面またはその説明において一まとめにされることを理解されたい。しかしながら、開示されるこの方法は、請求される本発明が、各請求項に明示されるよりも多くの特徴を必要とすると本発明を反映するものとして解釈されるべきではない。逆に、以下の特許請求の範囲が反映する場合、本発明の態様は、上記に開示される１つの実施形態のすべての特徴よりも少ない状態にある。したがって、詳細な説明に続く特許請求の範囲は、この詳細な説明に明確に組み込まれ、各請求項は、本発明の個々の実施形態としてそれ自体で位置する立場にある。
【００２４】
さらに、本明細書に記載の一部の実施形態は、他の実施形態に含まれるいくつかの特徴を含むが、他の特徴を含まないと同時に、異なる実施形態の特徴の組み合わせは、本発明の範囲内であることを意味し、当業者によって理解されるように異なる実施形態を形成する。例えば、以下の特許請求の範囲において、請求される実施形態のいずれも、いずれかの組み合わせで使用することができる。
【００２５】
本明細書に提供される説明において、多くの具体的な詳細が示されている。しかしながら、本発明の実施形態は、これらの具多的な詳細を用いることなく実施することができることが理解される。他の場合において、公知の方法、構造および技術は、本明細書の理解を不明瞭にしないようにするために、詳細に示されていない。
【００２６】
単に本発明の理解を助けるために、以下の用語が示される。
【００２７】
本明細書で使用され、かつ別段の指定がない限り、「正孔輸送ポリマー」または「正孔伝導ポリマー」という用語は、正孔を輸送するその能力が、電子を輸送するその能力よりも高い半導体ポリマーに関する。
【００２８】
本明細書で使用され、かつ別段の指定がない限り、「電子輸送ポリマー」または「電子伝導ポリマー」という用語は、電子を輸送するその能力が、正孔を輸送するその能力よりも高い半導体ポリマーに関する。
【００２９】
本明細書で使用され、かつ別段の指定がない限り、「小分子」という用語は、２０００ｇ／モルまでの分子量を有する分子に関する。
【００３０】
本発明は、本発明のいくつかの実施形態の詳細な説明によって説明される。本発明の他の実施形態は、本発明の真の精神または技術的教示から逸脱することなく、当業者の知識に従って構成することができることは明らかであり、本発明は、添付の特許請求の範囲の条件によってのみ制限される。
【００３１】
本発明者らは、単層発光素子を得るために、２つの非発光対イオンを有する２つの異なる電荷を有するイオン錯体の単純な混合物が、発光材料として使用された場合に、様々な不都合を示すことに気が付いた。かかる混合物の第１の欠点は、対イオンからの塩が結晶化し得ることである。例えば、対アニオンＸ１（つまり、イオン対［Ｍ１＋］［Ｘ１−］）を有するカチオン発光性錯体Ｍ１および対カチオンＸ２（つまり、イオン対［Ｍ２−］［Ｘ２＋］）を有するアニオン発光性錯体Ｍ２が互いに混合された場合には、それらの対イオンが通常、非常に強く結合することができる、非常に小さな分子（ＰＦ６−，…）または原子（Ｃｌ−，Ｎａ＋．．．）で構成されているため、長期的に塩［Ｘ１−］［Ｘ２＋］は容易に結晶化する。さらに、例えば、イオン対［Ｍ１＋］［Ｘ１−］とイオン対［Ｍ２＋］［Ｘ２−］を互いに混合した場合には、両方の発光錯体が素子の同一面上にある状態となり、クエンチの可能性が高まる。
【００３２】
さらに、結晶化しない、対イオン、例えばイオン性液体誘導対イオン等を有する錯体の製造は、イオン交換工程が必要であるため、難しく、費用が高い。この工程は、求められる対イオンの飽和溶液、および予想される錯体の沈殿を要する。
【００３３】
驚くべきことに、これらの合成工程を克服するために、静電超分子結合、さらに詳しくはイオン性超分子結合を用いて、２つ以上の発光部位を結び付けることができることが分かった。
【００３４】
第１の態様において、本発明は、１つまたは複数のアニオン発光部位の群の電荷を補う、１つまたは複数のカチオン発光部位の群からなる錯塩を含む発光材料に関し、前記部位の少なくとも１つは金属錯体である。実施形態において、部位は相補的発光スペクトルを有し、そのため発光材料が白色発光材料としての役割を果たすことができる。各発光部位はリン光部位または蛍光部位であることができ、好ましくはリン光部位である。
【００３５】
本発明の第１の態様の実施形態は、一般式［Ｍ１ｍ＋］ｘ［Ｍ２ｎ−］ｙ：
の錯塩を含む発光材料に関し、式中、
１．Ｍ１は、カチオン発光部位であり、
２．Ｍ２は、アニオン発光部位であり、
３．ｘｍ＝ｙｎであり、かつ
Ｍ１とＭ２のうちの少なくとも１つが金属錯体である。
【００３６】
実施形態において、［Ｍ１ｍ＋］ｘおよび［Ｍ２ｎ−］ｙは、相補的発光スペクトルを有し、そのため発光材料は白色光発光材料である。
【００３７】
実施形態において、錯塩は、［Ｍ１ｍ＋］ｘと［Ｍ２ｎ−］ｙのうちの１つが可視スペクトルの青色領域で発光し（藍色〜空色および緑色を帯びた青色、例えば、範囲３９０〜５５０ｎｍ、好ましくは３９０〜５２０ｎｍの最大発光波長を有するその発光スペクトルを有する）、もう一方が可視スペクトルの赤色領域で発光する（イエローオレンジ〜赤色、例えば、範囲５５０〜７４０ｎｍ、好ましくは５８０〜７４０ｎｍの最大発光波長を有するその発光スペクトルを有する）という点を特徴とする。すなわち、本発明の実施形態は、上記のいずれかの実施形態による白色光発光材料に関し、［Ｍ１ｍ＋］ｘと［Ｍ２ｎ−］ｙのうちの１つは、範囲５５０〜７４０ｎｍの最大発光波長を有するその発光スペクトルを有し、もう１つは、範囲３９０〜５５０ｎｍの最大発光波長を有するその発光スペクトルを有する。前記金属塩が、（０．２００，０．２００）〜（０．５５０，０．５００）、好ましくは（０．２６０，０．２８０）〜（０．４６０，０．５００）、さらに好ましくは（０．２７０，０．２９０）〜（０．４００，０．４００）の範囲でＣＩＥ１９３１座標（ｘ，ｙ）を有する光を放出することができるように、好ましくは、部位間（例えば、イオン対の場合には［Ｍ１ｍ＋］ｘと［Ｍ２ｎ−］ｙの間）の距離が適応され、かつ／または部位が選択される（例えば、［Ｍ１ｍ＋］ｘおよび［Ｍ２ｎ−］ｙが選択される）。すなわち、本発明の実施形態は、上記のいずれかの実施形態による白色光発光材料に関し、その金属塩は、（０．２００，０．２００）〜（０．５５０，０．５００）の範囲のＣＩＥ１９３１座標（ｘ，ｙ）を有する光を放出することができる。かかるＣＩＥ１９３１座標を有する光は許容可能な白色光であるため、これは有利である。部位（例えば、［Ｍ１ｍ＋］ｘと［Ｍ２ｎ−］ｙ）間の距離の適応は、錯塩をマトリックス中に含ませる（好ましくは、マトリックスに分散させる）ことによって行われ、白色光の発光が起こるように、金属錯塩を取り囲むマトリックスの極性（例えば、全体極性および／または局所極性）を適応させて、発光部位間の距離が提供される。マトリックスが存在する場合、錯塩、つまりゲストは、０．０５％以上、好ましくは０．１０％以上、特に好ましくは０．１５％以上、とりわけ好ましくは０．２０％以上の量で存在する。ゲストは、２０％以下、好ましくは１５％以下、特に好ましくは１０％以下、とりわけ好ましくは５％以下の量で存在し、これらの上限値のいずれかは、上記の下限値のいずれかと組み合わせることができる。本発明の実施形態は、上記の実施形態で定義される錯塩とマトリックスとを含む発光材料に関し、前記マトリックスの極性は、白色光の発光が起こるように、発光部位間の距離が提供されるような極性である。マトリックスは、液体、ゲル、または固体の極性、非イオン性媒体である。好ましくは、マトリックスは固体媒体である。マトリックスの主成分は好ましくは非イオン性であるが、非イオン性マトリックスにイオン種などの極性種をドープすることができる。実施形態において、非イオン性マトリックスは非プロトン性であることができる。マトリックスは好ましくは、その主な成分または唯一の成分としてポリマーを含む。任意に、マトリックスの光学的特性（例えば、その吸収特性）を用いて、発光錯塩の発光スペクトルを適応（例えば、補正）することができる。マトリックスは好ましくは、可視光に対して透明である。部位間の十分な距離を提供するのに適したマトリックスを提供する良い方法は、極性マトリックスを選択する方法である。マトリックスは好ましくは、ポリ（ビニルピロリドン）（ＰＶＰ）の極性に少なくとも等しい極性、つまり３．０未満の極性を有する。
【００３８】
適切な極性マトリックスはさらに、例えば、特にポリ（ビニルカルバゾール）（ＰＶＫ）および／またはポリマーもしくは非ポリマーオキサジアゾールを含む、正孔輸送および／または電子伝導有機半導体として挙動する。
【００３９】
誘電率（または相対静電誘電率）は、マトリックスの巨視的極性の尺度である。マトリックスの誘電率がＰＶＰよりも低い（例えば、３．０未満）場合、マトリックス中に１種または複数種の第２成分（または「ドーパント」）を有することが好ましい。これらのドーパントは極性分子である。これらの極性分子は、錯塩におけるイオン部位を連結する静電（イオン）結合をゆるめる、または切断することができることが好ましい。ドーパントは好ましくは、イオン塩である。イオン塩は、発光部位を分離するのを助ける。ドーパントの例は、有機または無機アニオンと組み合わされた有機カチオンの塩である。液状である場合には、それらは、イオン性液体または融解塩と呼ばれる。イオン性液体は、室温で液体であり、かつ１５０℃より低い、好ましくは８０℃より低い、さらに好ましくは３０℃より低い融点を有する、いわゆる「周囲温度融解塩」も包含する、融解塩を含む。
【００４０】
イオン性液体は、通例の塩の状態のようにカチオンおよびアニオンからなる化合物である。顕著な特性は、化合物の低温融点である。融点は、それらが液体状態であると同時にそれらをポリマーフィルムと相溶性にする、室温未満または相対的に低い高温（例えば１５０℃）である。イオン性液体のためのカチオンの例は：一、二および三置換イミダゾリウム、ピリジニウム、ピリダジニウム、ピリミジニウム、ピロリジニウム、ピラジニウム、ピラゾリウム、チアゾリウム、オキサゾリウム、トリアゾリウム、ホスホニウム、アンモニウム、グアニジニウム、およびイソウロニウムである。イオン性液体のためのアニオンの例は：ハロゲン化物、硫酸塩、スルホン酸塩（例えば、トリフルオロメチルスルホネート（「トリフラート」，ＣＦ３ＳＯ３−））、アミド、イミド（例えば、ビス（トリフルオロメチルスルホニル）イミド（Ｎ（ＣＦ３ＳＯ２）２−）、ビス（パーフルオロエチルスルホニル）イミド（Ｃ２Ｆ５ＳＯ２）２Ｎ−））、メチド（例えば、トリス（トリフルオロメチルスルホニル）メチド（（ＣＦ３ＳＯ２）３Ｃ−））、ホウ酸塩（例えば、テトラフルオロボレート（ＢＦ４−））、リン酸塩（例えば、ヘキサフルオロホスフェート（ＰＦ６−））、アンチモン酸塩（例えば、ヘキサフルオロアンチモネート（ＳｂＦ６−））、ヒ酸塩（例えば、ヘキサフルオロアルセナ−ト（ＡｓＦ６−））、コバルトテトラカルボニル、トリフルオロアセテート、およびデカノエートである。
【００４１】
存在する場合、ドーパントは、０．０５％以上、０．１０％以上、０．１５％以上または０．２０％以上の量で存在する。ドーパントは、２０％以下、１５％以下、１０％以下または５％以下の量で存在し、これらの上限値のいずれかは、上記の下限値のいずれかと組み合わせることができる。ゲストが存在する場合、マトリックスにおける錯塩と極性ドーパントのモル比は例えば、１．５以下、１．３以下、１．２以下、１．１以下、１．０５以下、０．５以上、０．７以上、０．８以上、０．９以上、０．９５以上であり、いずれかの下限値はいずれかの上限値と組み合わせることができる。マトリックスの主成分が、ＰＶＰより低い極性である場合、それにもかかわらず極性（例えば、イオン性）ドーパント分子を添加して、部位をさらに分離することができる。本発明の金属塩を構成する部位は通常、それらを隔てる距離に応じて、エネルギー移動によって相互作用する。例えば、青色発光カチオンと赤色発光アニオンを含むイオン対の場合には、青色発光カチオンは、赤色発光アニオンにそのエネルギーのすべてまたは一部を移動する可能性がある（これは、青色エミッターの発光スペクトルと赤色エミッターの吸収スペクトルの間のオーバーラップの程度、ならびに両方のエミッター間の距離およびその平均相対配向に依存する）。エネルギー移動が大きすぎる場合、青色エミッターが励起すると、イオン対が赤色光を発光する。白色光（例えば、範囲（０．２００，０．２００）、好ましくは（０．２６０，０．２８０）〜（０．５５０，０．５００）、好ましくは（０．４６０，０．５００）のＣＩＥ１９３１座標（ｘ，ｙ）を有する光）として見なされる光をイオン対に発光させるために、通常、発光部位間に十分な距離を有することが必要とされる。距離が長くなるほど、発光部位間のエネルギー移動の程度が減少する。相補的発光スペクトルを有する発光部位間の距離が、白色光である光混合物を人の目が知覚するような相対強度を有する光を両方の部位が放出するような程度までエネルギー移動が起こるような距離である場合に、白色光の発光が得られる。上記の実施例に記載のイオン対の場合は、２つを超える発光種が関与する場合に対して外挿される。
【００４２】
本発明の性能に関しては、その発光スペクトルが相補的であるように、つまり、その発光スペクトルが可視スペクトルの十分に大きな部分をカバーし、その結果、各発光部位が適切な強度を有する光を放出した時に白色光発光が得られるように、錯塩を構成する発光部位を選択することが有利である。発光部位間の距離を適応させることによって、例えば、上記で説明されるように周囲のマトリックスの極性を適応させることによって、これらの強度は十分に満たされる。部位間の正しい距離は、選択される部位の性質に応じて異なる。距離は、本出願で提供されるガイダンスを用いて、当業者によって決定することができる。白色発光については、発光部位間の理想的な距離範囲が各錯塩に関して存在するが、通常距離が長すぎると、白色光からのずれが少なくなり、通常距離が近すぎると、白色光からのずれが多くなる（部位間の距離が近すぎる場合には、光は容易に、強く赤色シフトされる）。
【００４３】
好ましくは、Ｍ１とＭ２の両方が金属錯体である。その実施形態の主な利点は、錯塩の両方の部分からのリン光が可能であることである。純粋に有機の分子（この場合には金属錯体に対向する）は通常、蛍光である。これは、担体の再結合が有機分子上で起こり、エネルギー移動が起こらない場合に、効率の低下を引き起こす。他の利点は、金属錯体を使用することによって、荷電エミッターを得ることが容易なことである。最後に、錯体における電荷は通常「内部」にあり、すなわち、特に八面体錯体の場合には、荷電金属イオンが配位子によって既に取り囲まれているのに対して、有機分子においては、電荷は通常、荷電置換基のグラフト化から生じるため、その周辺にある。静電引力は電荷間の距離に非常に依存することから、有機分子が使用される場合、より強い相互作用が予想され、白色光発光のために、より多くのポリマーまたはより強い電場が分離されることが必要である。適切な金属Ｍ１またはＭ２の例は、イリジウム、ルテニウム、ロジウム、レニウム、白金、金、オスミウム、亜鉛、カドミウム、水銀、銅または銀の発光荷電錯体である。好ましい金属Ｍ１またはＭ２は、イリジウム、ルテニウム、ロジウム、レニウム、白金、金、オスミウムの発光荷電錯体である。
【００４４】
金属発光カチオンの例を以下に示す：
【化１−１】
2012516924.tif 000002
【化１−２】
2012516924.tif 000003
【化１−３】
2012516924.tif 000004
式中、Ｒ１〜Ｒ６は、以下のＲ１〜Ｒ４２およびＲ６３〜Ｒ６６のいずれかで定義される置換基である。
【００４５】
好ましくは、上記で定義される錯塩が使用され：
１）Ｍ１は、Ｄ（Ｘ）２（Ｙ）２またはＤ（Ｘ）２Ｚを意味し、
式中、Ｄは、Ｉｒ、Ｒｕ、ＯｓおよびＲｈからなる群から選択される金属イオンを表し；
Ｘは互いに独立してそれぞれが、一般式ＩまたはＩａ
【化２】
2012516924.tif 000005
の化合物を表し、
但し、一般式Ｉの化合物は、ｓｐ２混成炭素原子１個とｓｐ２混成窒素原子１個を介してＤに配位し、一般式Ｉａの化合物は、ｓｐ２混成窒素原子２個を介してＤに配位し；
上記式中、Ｒ１は、Ｆ、Ｃｌ、−Ｏ−アルキル、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ１およびＲ２は一体となって、−ＣＨ＝ＣＨ−ＣＨ＝ＣＨ−を表し；
Ｒ２は、−Ｏ−アルキル、Ｆ、Ｃｌ、Ｂｒ、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ２およびＲ３は一体となって、−ＣＨ＝ＣＨ−ＣＨ＝ＣＨ−を表し；
Ｒ３は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ＋（アルキル）３からなる群から選択される部位を意味し；または
Ｒ３およびＲ４は一体となって、−ＣＨ＝ＣＨ−ＣＨ＝ＣＨ−を表し；
Ｒ４は、−Ｃ（＝Ｏ）−Ｏ−アルキル、−Ｃ（＝Ｏ）−ＣＦ３、−Ｏ−アルキル、アルキル、Ｈ、Ｆ、ＣｌおよびＢｒからなる群から選択される部位を意味し；または
Ｒ４およびＲ５は一体となって、−ＣＨ＝ＣＨ−を表し；
Ｒ５は、−Ｃ（＝Ｏ）−Ｏ−アルキル、−Ｃ（＝Ｏ）−ＣＦ３、−Ｏ−アルキル、アルキル、Ｈ、Ｆ、ＣｌおよびＢｒからなる群から選択される部位を意味し；または
Ｒ５およびＲ６は一体となって、−ＣＨ＝ＣＨ−ＣＨ＝ＣＨ−または−ＣＨ２−ＣＨ＝ＣＨ−ＣＨ２−を表し；
Ｒ６は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ＋（アルキル）３からなる群から選択される部位を意味し；または
Ｒ６およびＲ７は一体となって、−ＣＨ＝ＣＨ−ＣＨ＝ＣＨ−または−ＣＨ２−ＣＨ＝ＣＨ−ＣＨ２−を表し；
Ｒ７は、Ｈ、Ｆ、Ｃｌ、Ｂｒ、−ＣＮ、−ＣＦ３、−Ｏ−アルキル、アルキル、−Ｃ（＝Ｏ）−Ｏ−アルキルおよび−Ｃ（＝Ｏ）−ＣＦ３からなる群から選択される部位を意味し；または
Ｒ７およびＲ８は一体となって、−ＣＨ３＝ＣＨ−ＣＨ＝ＣＨ−を表し；
Ｒ８は、−ＣＮ、−ＣＦ３、−Ｃ（＝Ｏ）−ＣＦ３、−Ｃ（＝Ｏ）−Ｏ−アルキル、Ｏ−アルキル、アルキル、Ｈ、Ｆ、ＣｌおよびＢｒからなる群から選択される部位を意味し；
Ｙは互いに独立してそれぞれが、Ｆ、Ｃｌ、Ｂｒ、ＣＨ３、−Ｏ−アルキル、ＯＨ、−ＣＮ、−ＯＣＮおよび−ＳＣＮからなる群から選択される部位を表し；
Ｚは、一般式ＩＩまたはＩＩａ
【化３】
2012516924.tif 000006
の化合物を表し、
式中、Ｒ９、Ｒ１０、Ｒ１１およびＲ１２は互いに独立してそれぞれが、−Ｃ（＝Ｏ）−Ｏ−アルキル、アルキル、フェニル、Ｈ、−Ｎ（アルキル）２、Ｆ、Ｃｌ、Ｂｒ、−Ｏ−アルキルおよび−ＣＦ３からなる群から選択される部位を表し；
但し、一般式ＩＩおよびＩＩａの化合物は、ｓｐ２混成窒素原子２個を介してＤに配位子；または
２）Ｍ１はＦＴＬを意味し、
式中、Ｆは、ＰｔおよびＡｕからなる群から選択される金属イオンを表し；
Ｔは、一般式ＩＩＩ、ＩＩＩａまたはＩＩＩｂ
【化４】
2012516924.tif 000007
の化合物を表し、
但し、一般式ＩＩＩおよびＩＩＩｂの化合物は、ｓｐ２混成炭素原子１個およびｓｐ２混成窒素原子２個を介してＦに配位し、かつ一般式ＩＩＩの化合物は、ｓｐ２混成窒素原子３個を介してＦに配位し；
上記式中、Ｒ２５、Ｒ２６、Ｒ２７、Ｒ２８、Ｒ２９、Ｒ３０、Ｒ３１、Ｒ３２およびＲ３３は互いに独立してそれぞれが、Ｆ、Ｃｌ、−ＣＮ、−Ｃ（＝Ｏ）−Ｏ−アルキル、アルキル、−Ｏ−アルキル、フェニル、Ｈ、−Ｎ（アルキル）２および−ＣＦ３からなる群から選択される部位を表し；
Ｌは、ＣＯ、−Ｎ（アルキル）２、−ＮＨ２（アルキル）、Ｆ、Ｃｌ、Ｂｒ、Ｉ、ＣＮ、ＯＣＮ、−Ｏ−アルキル、−ＯＨおよびＳＣＮからなる群から選択される配位子を表し；または
３）Ｍ１はＧ（Ｕ）２を意味し、
式中、Ｇは、Ｉｒ、Ｒｕ、ＯｓおよびＲｈからなる群から選択される金属イオンを表し；
Ｕは互いに独立してそれぞれが、一般式ＩＶ、ＩＶａまたはＩＶｂ
【化５】
2012516924.tif 000008
の化合物を表し、
但し、一般式ＩＶａおよびＩＶｂの化合物は、ｓｐ２混成炭素原子１個およびｓｐ２混成窒素原子２個を介してＧに配位し、かつ一般式ＩＶの化合物は、ｓｐ２混成窒素原子３個を介してＧに配位し；
上記式中、Ｒ３４、Ｒ３５、Ｒ３６、Ｒ３７、Ｒ３８、Ｒ３９、Ｒ４０、Ｒ４１およびＲ４２は互いに独立してそれぞれが、−Ｏ−アルキル、Ｆ、Ｃｌ、−ＣＮ、−Ｃ（＝Ｏ）−Ｏ−アルキル、アルキル、フェニル、Ｈ、−Ｎ（アルキル）２および−ＣＦ３を表し；または
４）Ｍ１は一般式ＣｕＰ２の化合物を意味し、
式中、Ｐは互いに独立してそれぞれが、一般式ＩＸまたはＸ
【化６】
2012516924.tif 000009
の化合物を表し、
式中、Ｒ６３、Ｒ６４、Ｒ６５およびＲ６６は互いに独立して、それぞれがＦ、Ｃｌ、−ＣＮ、−Ｃ（＝Ｏ）−Ｏ−アルキル、アルキル、−Ｏ−アルキル、フェニル、Ｈ、−Ｎ（アルキル）２および−ＣＦ３からなる群から選択される部位を意味し；
但し、一般式ＩＸおよびＸの化合物は、ｓｐ２混成窒素原子２個を介してＣｕに配位し；および／または
５）Ｍ２はＥ（Ｗ）２Ｓを意味し、
式中、Ｅは、Ｉｒ、Ｒｕ、ＯｓおよびＲｈからなる群から選択される金属イオンを表し；
Ｗは互いに独立してそれぞれが、一般式Ｉ’またはＩａ’
【化７】
2012516924.tif 000010
の化合物を表し、
但し、一般式Ｉ’の化合物は、ｓｐ２混成炭素原子１個およびｓｐ２混成窒素原子１個を介してＥに配位し、かつ一般式Ｉａ’の化合物は、ｓｐ２混成窒素原子２個を介してＥに配位し；
上記式中、Ｒ１３は、Ｆ、Ｃｌ、−Ｏ−アルキル、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；または
Ｒ１３およびＲ１４が一体となって、−ＣＨ＝ＣＨ−ＣＨ＝ＣＨ−を表し；
Ｒ１４は、−Ｃ（＝Ｏ）−Ｏ−アルキル、−Ｃ（＝Ｏ）−ＣＦ３、−ＣＦ３、−ＣＮ、−Ｏ−アルキル、Ｆ、Ｃｌ、ＢｒおよびＨからなる群から選択される部位を意味し；または
Ｒ１４およびＲ１５が一体となって、−ＣＨ＝ＣＨ−ＣＨ＝ＣＨ−を表し；
Ｒ１５は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ＋（アルキル）３からなる群から選択される部位を意味し；または
Ｒ１５およびＲ１６が一体となって、−ＣＨ＝ＣＨ−ＣＨ＝ＣＨ−を表し；
Ｒ１６は、Ｈ、Ｆ、Ｃｌ、−ＣＮ、−ＣＦ３、アルキル、−Ｏ−アルキルおよびＢｒからなる群から選択される部位を意味し；または
Ｒ１６およびＲ１７が一体となって、−ＣＨ＝ＣＨ−を表し；
Ｒ１７は、Ｈ、−Ｏ−アルキル、アルキル、−ＣＮ、−ＣＦ３、Ｆ、ＣｌおよびＢｒからなる群から選択される部位を意味し；または
Ｒ１７およびＲ１８が一体となって、−ＣＨ＝ＣＨ−ＣＨ＝ＣＨ−または−ＣＨ２−ＣＨ＝ＣＨ−ＣＨ２−を表し；
Ｒ１８は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ＋（アルキル）３からなる群から選択される部位を意味し；または
Ｒ１８およびＲ１９が一体となって、−ＣＨ＝ＣＨ−ＣＨ＝ＣＨ−または−ＣＨ２−ＣＨ＝ＣＨ−ＣＨ２−を表し；
Ｒ１９は、Ｈ、−Ｏ−アルキル、アルキル、−ＣＮ、−ＣＦ３、−Ｃ（＝Ｏ）−ＣＦ３、Ｆ、ＣｌおよびＢｒからなる群から選択される部位を意味し；または
Ｒ１９およびＲ２０が一体となって、−ＣＨ＝ＣＨ−ＣＨ＝ＣＨ−を表し；
Ｒ２０は、−Ｏ−アルキル、アルキル、−ＣＮ、−ＣＦ３、−Ｃ（＝Ｏ）−ＣＦ３、Ｆ、ＣｌおよびＢｒからなる群から選択される部位を意味し；
Ｓは、一般式ＩＩ’またはＩＩａ’
【化８】
2012516924.tif 000011
の化合物を表し、
式中、Ｒ２１、Ｒ２２、Ｒ２３およびＲ２４は互いに独立してそれぞれが、Ｈ、−Ｃ（＝Ｏ）−Ｏ−アルキル、アルキル、−Ｏ−アルキル、−ＣＮ、フェニル、Ｈ、−Ｎ（アルキル）２および−ＣＦ３からなる群から選択される部位を表す。
【００４６】
本明細書で定義される式のいずれかにおける部位のいずれかがフェニルを表す場合、前記フェニルラジカルは、未置換であるか、または１つまたは複数の置換基で置換されており、好ましくは未置換であるか、または１、２、３、４または５個の置換基で任意に置換されている。前記置換基は好ましくは、メチル、エチル、ｎ−プロピル、イソプロピル、ｎ−ブチル、ｔ−ブチル、ｓ−ブチル、イソブチル、ｎ−ペンチル、−Ｏ−ＣＨ３、−Ｏ−Ｃ２Ｈ５、−Ｏ−ＣＨ２−ＣＨ２−ＣＨ３、−Ｏ−ＣＨ（ＣＨ３）２、−Ｏ−Ｃ（ＣＨ３）３、−Ｃ（＝Ｏ）−ＯＨ、−Ｃ（＝Ｏ）−Ｏ−ＣＨ３、−Ｃ（＝Ｏ）−Ｏ−Ｃ２Ｈ５、−Ｃ（＝Ｏ）−Ｏ−ＣＨ２−ＣＨ２−ＣＨ３、−Ｃ（＝Ｏ）−Ｏ−ＣＨ（ＣＨ３）２、−Ｃ（＝Ｏ）−Ｏ−Ｃ（ＣＨ３）３、Ｆ、Ｃｌ、Ｂｒ、Ｉ、−ＣＮ、−ＣＦ３、−Ｏ−ＣＦ３、−Ｓ−ＣＦ３、−ＯＨ、−ＳＨ、−ＮＨ２、−ＮＨ−ＣＨ３、−ＮＨ−Ｃ２Ｈ５、−ＮＨ−ＣＨ２−ＣＨ２−ＣＨ２、−ＮＨ−ＣＨ（ＣＨ３）２、−ＮＯ２、−ＣＨＯ、−ＣＦ２Ｈ、−ＣＦＨ２、−Ｃ（Ｏ）−ＮＨ２、−Ｃ（＝Ｏ）−ＮＨ−ＣＨ３および−Ｓ（＝Ｏ）２−ＣＨ３からなる群から独立して選択される。
【００４７】
本明細書で定義される式のいずれかにおける部位のいずれかが、アルキルラジカル、好ましくはＣ１−１０アルキルラジカル、さらに好ましくはＣ１−５アルキルラジカルを表す場合、前記アルキルは、未置換であるか、または１つまたは複数の置換基で置換されており、好ましくは未置換であるか、または１、２、３、４または５個の置換基で任意に置換されている。前記置換基は好ましくは、−Ｏ−ＣＨ３、−Ｏ−Ｃ２Ｈ５、−Ｏ−ＣＨ（ＣＨ３）２、−Ｏ−Ｃ（ＣＨ３）３、−ＣＮ、−ＣＦ３、−ＯＣＦ３、−ＳＣＦ３、−ＯＨ、−ＳＨ、−ＮＨ２、−ＮＨ−ＣＨ３、−ＮＨ−Ｃ２Ｈ５、−ＮＨ−ＣＨ２−ＣＨ２−ＣＨ３、−ＮＨ−ＣＨ（ＣＨ３）２、−ＮＨ−Ｃ（ＣＨ３）３、−Ｎ（ＣＨ３）２および−Ｎ（Ｃ２Ｈ５）２からなる群から独立して選択される。
【００４８】
１つまたは複数の置換基によって置換されていてもよい、適切なアルキルラジカルは好ましくは、メチル、エチル、ｎ−プロピル、イソプロピル、ｎ−ブチル、イソブチル、ｓ−ブチル、ｔ−ブチル、ｎ−ペンチルおよびネオペンチルからなる群から選択される。
【００４９】
上述の式において、Ｌは好ましくは、一酸化炭素（ＣＯ）、アミン（ＮＲ３）、イミン（ＲＮ＝ＣＲ）、ピリジン、ホスファン（ＰＲ３）、アルサン（ＡｓＲ３）、ニトリル（ＲＣＮ）、イソニトリル（ＲＮＣ）、エーテル（ＲＯＲ）、ジスルフィド（ＲＳＲ）およびジセレニド（ＲＳｅＲ）からなる群から選択される中性単座配位子である。
【００５０】
上述の式において、Ｌは、好ましくはハロゲン化物イオン（Ｆ−、Ｃｌ−、Ｂｒ−、Ｉ−）、擬ハロゲン化物イオン（ＣＮ−、ＯＣＮ−、ＳＣＮ−）、アルキルアニオン（ＣＨ３−）、アリールアニオン（Ｐｈ−）、アルコレート（ＲＯ−）、チオレート（ＲＳ−）および水酸化物イオン（ＯＨ−）からなる群から選択されるアニオン配位子であることもできる。
【００５１】
さらに好ましくは、金属錯体が使用され、
１）Ｍ１はＤ（Ｘ）２（Ｙ）２またはＤ（Ｘ）２Ｚを意味し、
式中、Ｄは、Ｉｒ（ＩＩＩ）、Ｒｕ（ＩＩ）、Ｏｓ（ＩＩ）およびＲｈ（ＩＩＩ）からなる群から選択される金属イオンを表し；
Ｘは互いに独立してそれぞれが、一般式ＩまたはＩａ
【化９】
2012516924.tif 000012
の化合物を表し、
但し、一般式Ｉの化合物は、ｓｐ２混成炭素原子１個およびｓｐ２混成窒素原子１個を介してＤに配位し、かつ一般式Ｉａの化合物は、ｓｐ２混成窒素原子２個を介してＤに配位し；
上記式中、Ｒ１は、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；
Ｒ２は、−Ｏ−アルキル、Ｆ、Ｃｌ、ＢｒおよびＨからなる群から選択される部位を意味し；または
Ｒ２およびＲ３が一体となって、−ＣＨ＝ＣＨ−ＣＨ＝ＣＨ−を表し；
Ｒ３は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ＋（アルキル）３からなる群から選択される部位を意味し；または
Ｒ３およびＲ４が一体となって、−ＣＨ＝ＣＨ−ＣＨ＝ＣＨ−を表し；
Ｒ４は、Ｈ、Ｆ、ＣｌおよびＢｒからなる群から選択される部位を意味し；または
Ｒ４およびＲ５が一体となって、−ＣＨ＝ＣＨ−を表し；
Ｒ５は、Ｈ、Ｆ、ＣｌおよびＢｒからなる群から選択される部位を意味し；または
Ｒ５およびＲ６が一体となって、−ＣＨ＝ＣＨ−ＣＨ＝ＣＨ−または−ＣＨ２−ＣＨ＝ＣＨ−ＣＨ２−を表し；
Ｒ６は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ＋（アルキル）３からなる群から選択される部位を意味し；または
Ｒ６およびＲ７が一体となって、−ＣＨ＝ＣＨ−ＣＨ＝ＣＨ−または−ＣＨ２−ＣＨ＝ＣＨ−ＣＨ２−を表し；
Ｒ７は、Ｈ、Ｆ、ＣｌおよびＢｒからなる群から選択される部位を意味し；または
Ｒ７およびＲ８が一体となって、−ＣＨ＝ＣＨ−ＣＨ＝ＣＨ−を表し；
Ｒ８は、Ｈ、Ｆ、ＣｌおよびＢｒからなる群から選択される部位を意味し；
Ｙは互いに独立してそれぞれが、−ＣＮ、−ＯＣＮおよび−ＳＣＮからなる群から選択される部位を表し；
Ｚは、一般式ＩＩまたはＩＩａ
【化１０】
2012516924.tif 000013
の化合物を表し、
式中、Ｒ９、Ｒ１０、Ｒ１１およびＲ１２は互いに独立してそれぞれが、−Ｃ（＝Ｏ）−Ｏ−アルキル、アルキル、フェニル、Ｈ、−Ｎ（アルキル）２および−ＣＦ３からなる群から選択される部位を表し；
但し、一般式ＩＩおよびＩＩａの化合物は、ｓｐ２混成窒素原子２個を介してＤに配位し；または
２）Ｍ１はＦＴＬを意味し、
式中、Ｆは、Ｐｔ（ＩＩ）、Ａｕ（Ｉ）およびＡｕ（ＩＩＩ）からなる群から選択される金属イオンを表し；
Ｔは、一般式ＩＩＩ、ＩＩＩａまたはＩＩＩｂ
【化１１】
2012516924.tif 000014
の化合物を表し、
但し、一般式ＩＩＩａおよびＩＩＩｂの化合物は、ｓｐ２混成炭素原子１個およびｓｐ２混成窒素原子２個を介してＦに配位し、かつ一般式ＩＩＩの化合物は、ｓｐ２混成窒素原子３個を介してＦに配位し；
上記式中、Ｒ２５、Ｒ２６、Ｒ２７、Ｒ２８、Ｒ２９、Ｒ３０、Ｒ３１、Ｒ３２およびＲ３３は互いに独立してそれぞれが、Ｆ、Ｃｌ、−ＣＮ、−Ｃ（＝Ｏ）−Ｏ−アルキル、アルキル、フェニル、Ｈ、−Ｎ（アルキル）２および−ＣＦ３からなる群から選択される部位を表し；
Ｌは、ＣＯ、−ＮＨ（アルキル）２、−ＮＨ２（アルキル）、Ｆ、Ｃｌ、Ｂｒ、Ｉ、ＣＮ、ＯＣＮおよびＳＣＮからなる群から選択される配位子を表し；または
３）Ｍ１はＧ（Ｕ）２を意味し、
式中、Ｇは、Ｉｒ（ＩＩＩ）、Ｒｕ（ＩＩ）、Ｏｓ（ＩＩ）およびＲｈ（ＩＩＩ）からなる群から選択される金属イオンを表し；
Ｕは互いに独立してそれぞれが、一般式ＩＶ、ＩＶａまたはＩＶｂ
【化１２】
2012516924.tif 000015
の化合物を表し、
但し、一般式ＩＶａおよびＩＶｂの化合物は、ｓｐ２混成炭素原子１個およびｓｐ２混成窒素原子２個を介してＧに配位し、かつ一般式ＩＶの化合物は、ｓｐ２混成窒素原子３個を介してＧに配位し；
上記式中、Ｒ３４、Ｒ３５、Ｒ３６、Ｒ３７、Ｒ３８、Ｒ３９、Ｒ４０、Ｒ４１およびＲ４２は互いに独立してそれぞれが、Ｈ、Ｆ、Ｃｌ、−ＣＮ、−Ｃ（＝Ｏ）−Ｏ−アルキル、アルキル、フェニル、Ｈ、−Ｎ（アルキル）２および−ＣＦ３からなる群から選択される部位を表し；および／または
４）Ｍ２はＥ（Ｗ）２Ｓを意味し、
式中、Ｅは、Ｉｒ（ＩＩＩ）、Ｒｕ（ＩＩ）、Ｏｓ（ＩＩ）およびＲｈ（ＩＩＩ）からなる群から選択される金属イオンを表し；
Ｗは互いに独立してそれぞれが、一般式Ｉ’またはＩａ’
【化１３】
2012516924.tif 000016
の化合物を表し、
但し、一般式Ｉ’の化合物は、ｓｐ２混成炭素１個およびｓｐ２混成窒素原子１個を介してＥに配位し、かつ一般式Ｉａ’の化合物は、ｓｐ２混成窒素原子２個を介してＥに配位し；
上記式中、Ｒ１３は、−Ｃ（＝Ｏ）−Ｏ−アルキル、−Ｃ（＝Ｏ）−ＣＦ３、−ＣＦ３、−ＣＮ、アルキルおよびＨからなる群から選択される部位を意味し；
Ｒ１４は、−Ｏ−アルキル、Ｆ、Ｃｌ、ＢｒおよびＨからなる群から選択される部位を意味し；または
Ｒ１４およびＲ１５が一体となって、−ＣＨ＝ＣＨ−ＣＨ＝ＣＨ−を表し；
Ｒ１５は、−Ｃ（＝Ｏ）−Ｏ−アルキル、Ｈ、−Ｃ（＝Ｏ）−ＣＦ３、−ＣＦ３、−ＣＮ、アルキル、−Ｏ−アルキル、−Ｎ（アルキル）２および−Ｎ＋（アルキル）３からなる群から選択される部位を意味し；または
Ｒ１５およびＲ１６が一体となって、−ＣＨ＝ＣＨ−ＣＨ＝ＣＨ−を表し；
Ｒ１６は、Ｈ、Ｆ、ＣｌおよびＢｒからなる群から選択される部位を意味し；または
Ｒ１６およびＲ１７が一体となって、−ＣＨ＝ＣＨ−を表し；
Ｒ１７は、Ｈ、Ｆ、ＣｌおよびＢｒからなる群から選択される部位を意味し；または
Ｒ１７およびＲ１８が一体となって、−ＣＨ＝ＣＨ−ＣＨ＝ＣＨ−または−ＣＨ２−ＣＨ＝ＣＨ−ＣＨ２−を表し；
Ｒ１８は、Ｈ、アルキル、−Ｏ−アルキル、フェニル、−Ｃ（＝Ｏ）−Ｏ−アルキル、−ＣＦ３、−Ｃ（＝Ｏ）−ＣＦ３、−ＣＮ、−Ｎ（アルキル）２および−Ｎ＋（アルキル）３からなる群から選択される部位を意味し；または
Ｒ１８およびＲ１９が一体となって、−ＣＨ＝ＣＨ−ＣＨ＝ＣＨ−または−ＣＨ２−ＣＨ＝ＣＨ−ＣＨ２−を表し；
Ｒ１９は、Ｈ、Ｆ、ＣｌおよびＢｒからなる群から選択される部位を意味し；または
Ｒ１９およびＲ２０が一体となって、−ＣＨ＝ＣＨ−ＣＨ＝ＣＨ−を表し；
Ｒ２０は、Ｈ、Ｆ、ＣｌおよびＢｒからなる群から選択される部位を意味し；
Ｓは、一般式ＩＩ’またはＩＩａ’
【化１４】
2012516924.tif 000017
の化合物を表し、
式中、Ｒ２１、Ｒ２２、Ｒ２３およびＲ２４は互いに独立してそれぞれがＨ、−Ｃ（＝Ｏ）−Ｏ−アルキル、アルキル、フェニル、Ｈ、−Ｎ（アルキル）２および−ＣＦ３からなる群から選択される部位を表す。
【００５２】
他の実施形態において、［Ｍ１ｍ＋］および［Ｍ２ｎ−］のうちの１つが発光有機非金属イオンである。好ましくは、発光有機非金属イオンは、小分子または最大１０個の反復単位を有するオリゴマーであり、つまりポリマーではない。
【００５３】
発光有機非金属イオンの例は、イオン性基で置換された発光有機非金属分子である。
【００５４】
発光有機非金属イオンの非制限的な例は、アントラセン、テトラセン、フタロシアニン、キサンテン、ペリレン、ピレン、ルブレン、クマリン、ローダミン、ポルフィリン、コリン、キノリン、キナクリドン、ジシアノメチレンピラン、シアニン、アゾ染料、カルボニル染料、ポリエン、ポリメチン、チオピラン、ピリリウム、チアピリリウム、フルオレン、オリゴフルオレン、インデノフルオレン、オリゴインデノフルオレン、ペリフランテン、インデノペリレン、ビス（アジニル）アミンホウ素、ビス（アジニル）メタン、フルオレセイン、カルボスチリル、アントラキノンおよびボレートのイオン性誘導体である。これらの発光有機非金属分子の誘導体にイオン性を与え得る置換基は、例えば、ＳＯ３−、ＳＯ４−、ＣＯＯ−、−ＮＲ３＋（式中、Ｒがそれぞれ独立して、例えばＣ１−Ｃ６アルキルまたはＣ５−Ｃ１０アリールを表す）である。発光色の広いバリエーションが、かかる誘導体から置換パターンの関数で得ることができる。
【００５５】
赤色発光有機非金属カチオンＭ１のファミリーの非制限的な例は、以下の式Ｖ
【化１５】
2012516924.tif 000018
（式中、Ｒ４３およびＲ４４は互いに独立してそれぞれが、メチル、エチル、ｎ−プロピル、イソプロピル、ｎ−ブチル、ｔ−ブチルおよびｎ−ペンチルからなる群から選択される部位を意味し；
Ｒ４５、Ｒ４６、Ｒ４７およびＲ４８は互いに独立してそれぞれが、Ｈ、メチル、−Ｏ−メチル、Ｆ、ＣｌおよびＢｒからなる群から選択される部位を意味する）
によるペリレン誘導体であり；
具体的な例は、
【化１６】
2012516924.tif 000019
である。
【００５６】
赤色発光有機非金属アニオンＭ２のファミリーの非制限的な例は、以下の式ＶＩ
【化１７】
2012516924.tif 000020
（式中、Ｒ４９、Ｒ５０、Ｒ５１およびＲ５２は互いに独立してそれぞれが、Ｈ、メチル、−Ｏ−メチル、Ｆ、ＣｌおよびＢｒからなる群から選択される部位を意味する）
によるペリレン誘導体であり；
具体的な例は、
【化１８】
2012516924.tif 000021
である。
【００５７】
青色発光有機非金属カチオンＭ１のファミリーの非制限的な例は、以下の式ＶＩＩ：
【化１９】
2012516924.tif 000022
（式中、Ｒ５３、Ｒ５４、Ｒ５５、Ｒ５６、Ｒ５７およびＲ５８は互いに独立してそれぞれが、Ｈ、メチル、エチル、ｎ−プロピル、イソプロピル、ｎ−ブチル、ｔ−ブチル、ｎ−ペンチルからなる群から選択される部位を意味し；
Ｒ５９およびＲ６０は互いに独立してそれぞれが、ｎ−ペンチル、ネオペンチル、イソペンチル、ｎ−ヘキシル、ｎ−ヘプチル、ｎ−オクチルまたはエチルエキシルからなる群から選択される部位を意味する）によるフルオレン誘導体である。
【００５８】
具体的な例は：
【化２０】
2012516924.tif 000023
である。
【００５９】
青色発光有機非金属アニオンＭ２のファミリーの非制限的な例は、以下の式ＶＩＩＩ：
【化２１】
2012516924.tif 000024
（式中、Ｒ６１およびＲ６２は互いに独立してそれぞれが、ｎ−ペンチル、ネオペンチル、イソペンチル、ｎ−ヘキシル、ｎ−ヘプチル、ｎ−オクチルまたはエチルヘキシルからなる群から選択される部位を意味する）によるフルオレン誘導体である。
【００６０】
具体的な例は：
【化２２】
2012516924.tif 000025
である。
【００６１】
本発明の実施形態による錯塩の数例を以下に示す：
【化２３−１】
2012516924.tif 000026
【化２３−２】
2012516924.tif 000027
【００６２】
本発明の第１の態様の実施形態において接着性向上剤が、発光材料の組成に含まれる。かかる接着性向上剤は当業者にはよく知られている。無機ＬＥＤまたは蛍光灯のガラス管の場合など、基材をコーティングするために発光材料が使用される場合に、これは特に有利である。
【００６３】
第２の態様において、本発明は、発光材料、特に本発明の第１の態様による錯塩を製造する方法に関する。
【００６４】
第２の態様の実施形態において、本発明は、請求項１から１１のいずれかに開示される錯塩を製造する方法であって、一般式［Ｍ１ｍ＋］ｘＡ−（式中、Ｍ１は、請求項１から４のいずれかに従って定義され、Ａ−は、Ｃｌ−、Ｂｒ−、ＰＦ６−、ＢＦ４−およびＦ−からなる群から選択されるアニオンを意味する）の少なくとも１種類の塩を一般式［Ｍ２ｎ−］ｙＣ＋（式中、Ｍ２は、上記で示される通りに定義され、Ｃは、Ｎａ＋、Ｋ＋、Ｌｉ＋およびＮＲ４＋からなる群から選択されるカチオンを意味し、Ｒは互いに独立してそれぞれが、Ｈまたはアルキルを意味する）の少なくとも１種類の塩と、任意に少なくとも１種類の溶媒の存在下にて、範囲１０〜５０℃、好ましくは１５〜３０℃の温度にて反応させて、任意に精製かつ／または単離される一般式［Ｍ１ｍ＋］ｘ［Ｍ２ｎ−］ｙの金属錯体が得られることを特徴とする方法に関する。好ましくは、ＣはＫ＋であり、かつ／または溶媒は、メタノール、エタノール、水およびその混合物からなる群から選択される極性非プロトン性溶媒である。
【００６５】
一般式［Ｍ１ｍ＋］ｘＡ−および一般式［Ｍ２ｎ−］ｙＣ＋の化合物の合成は、特にＭ．Ｋ．Ｎａｚｅｅｒｕｄｄｉｎ  ｅｔ  ａｌ．，Ｊ．Ａｍ．Ｃｈｅｍ．ＳｏＣ．２００３，１２５，８７９０およびＭ．Ｋ．Ｎａｚｅｅｒｕｄｄｉｎ  ｅｔ  ａｌ．，Ｉｎｏｒｇ．Ｃｈｅｍ．２００７，４６，５９８９に記述されている。
【００６６】
この開示内容の相当部分は、参照により本明細書に組み込まれる。
【００６７】
第３の態様において、本発明は、本発明の第１の態様による発光材料を含む、またはからなる発光層を含む発光素子に関する。
【００６８】
さらに好ましくは、発光層は、３００および５００ｎｍの波長で励起した場合に、または前記発光層に電圧をかけた場合に、範囲（０．２００，０．２００）〜（０．５５０，０．５００）のＣＩＥ１９３１座標（ｘ，ｙ）を有する光を発光することができる。
【００６９】
実施形態において、発光素子は有機発光素子である。有機発光素子は一般に：
・基材（好ましくは、透明基材）、
・第１の導電性層（好ましくは、透明導電性層）、
・任意に、１つまたは複数の正孔輸送および／または正孔注入および／または電子ブロック層、
・１つまたは複数の発光層、
・任意に、１つまたは複数の電子輸送および／または電子注入、およびブロック層、
・第２の導電性層
を含む。
【００７０】
基材は、１種類の材料または１種類を超える材料で形成される。基材は、有機または無機、平面または非平面であることができる。適切な無機基材の例は、ガラスおよび石英である。適切な有機基材の例は、限定されないが、ポリ（メチルメタクリレート）（ＰＭＭＡ）およびポリカーボネートなどの透明ポリマーである。基材は剛性または可撓性であることができる。
【００７１】
第１の導電性層は、陽極の役割を果たす。一般的な例は酸化インジウムスズ（ＩＴＯ）である。他の例は、例えばＳｎまたはＦをドープされた酸化スズである。
【００７２】
正孔注入層（または正孔輸送層もしくは電子ブロック層）に利用可能な材料は当業者にはよく知られており、例えば、ポリアニリン（「ＰＡＮＩ」）、ポリ（３，４−エチレンジオキシチオフェン）（「ＰＥＤＯＴ」）、ポリピロール、種々のトリアリールアミンおよびカルバゾール、例えば４，４’−ビス［Ｎ−（ナフチル）−Ｎ−フェニル−アミノ］ビフェニル（α−ＮＰＤ）、Ｎ，Ｎ’−ビス（３−メチルフェニル）−Ｎ，Ｎ’−ジフェニル−［１，１’−ビフェニル］４，４’ジアミン（ＴＰＤ）、４，４’−ビス［Ｎ−（２−ナフチル）−Ｎ−フェニル−アミノ］ビフェニル（β−ＮＰＤ）、４，４’，４’’−トリス（３−メチルフェニルフェニルアミノ）トリフェニルアミン（ＭＴＤＡＴＡ）、４，４’−Ｎ，Ｎ’−ジカルバゾール−ビフェニル（ＣＢＰ）、Ｎ，Ｎ’，Ｎ’’−１，３，５−トリカルバゾリルベンゼン（ｔＣＰ）および４，４’，４’’−トリス（Ｎ−カルバゾリル）−トリスフェニルアミン（ＴＣＴＡ）が挙げられる。さらに、ｐ型ドーピングを用いてもよく、例えばテトラチアフルバレンテトラシアノキノジメタン（「ＴＴＦ−ＴＣＮＱ」））、２，３，５，６−テトラフルオロ−７，７，８，８−テトラシアノ−キノジメタン（Ｆ４−ＴＣＮＱ）などの電子受容体、ならびに特に酸化モリブデン、酸化バナジウム、および酸化タングステンなどの高仕事関数の金属酸化物が組み込まれる。
【００７３】
素子はさらに、発光層と正孔輸送層の間に電子ブロック層を含み得る。この実施形態は、発光層が電子伝導層である場合に好ましい。
【００７４】
本発明の実施形態において、その１つまたは複数の発光層は好ましくは、本発明の第３の態様で定義される発光材料を含む、またはからなる単一発光層である。
【００７５】
電子注入層（または電子伝導層もしくは正孔ブロック層）に利用可能な材料は当業者にはよく知られており、例えば、金属キレート化オキシノイド化合物（例えば、Ａｌｑ３またはアルミニウム（ＩＩＩ）ビス（２−メチル−８−キノリナト）４−フェニルフェノレート（「ＢＡｌｑ」））；フェナントロリンをベースとする化合物（例えば、２，９−ジメチル−４，７−ジフェニル−１，１０−フェナントロリン（「ＤＤＰＡ」）または９，１０−ジフェニルアントラセン（「ＤＰＡ」））；アゾール化合物（例えば、２−ｔ−ブチルフェニル−５−ビフェニル−１，３，４−オキサジアゾール（「ＰＢＤ」）または３−（４−ビフェニル）−４−フェニル−５−（４−ｔ−ブチルフェニル）−１，２，４−トリアゾール（「ＴＡＺ」）；ジフェニルアントラセン誘導体；ジナフチルアントラセン誘導体；４，４−ビス（２，２−ジフェニル−エテン−１−イル）−ビフェニル（「ＤＰＶＢＩ」）；９，１０−ジ−β−ナフチルアントラセン；９，１０−ジ−（ナフェンチル（ｎａｐｈｅｎｔｈｙｌ））アントラセン；９，１０−ジ−（２−ナフチル）アントラセン（「ＡＤＮ」）；４，４’−ビス（カルバゾール−９−イル）ビフェニル（「ＣＢＰ」）；９，１０−ビス−［４−（２，２−ジフェニルビニル）−フェニル］−アントラセン（「ＢＤＰＶＰＡ」）；アントラセン、Ｎ−アリールベンズイミドアゾール（「ＴＰＢＩ」など）；１，４−ビス［２−（９−エチル−３−カルバゾイル）ビニレニル］ベンゼン；４，４’−ビス［２−（９−エチル−３−カルバゾイル）ビニレニル］−１，１’−ビフェニル；９，１０−ビス［２，２−（９，９−フルオレニレン）ビニレニル］アントラセン；１，４−ビス［２，２−（９，９−フルオレニレン）ビニレニル］ベンゼン；４，４’−ビス［２，２−（９，９−フルオレニレン）ビニレニル］−１，１’−ビフェニル；ペリレン、置換ペリレン；テトラ−ｔ−ブチルペリレン（「ＴＢＰｅ」）；ビス（３，５−ジフルオロ−２−（２−ピリジル）フェニル−（２−カルボキシピリジル）イリジウムＩＩＩ（「Ｆ（Ｉｒ）Ｐｉｃ」）、ピレン、置換ピレン；スチリルアミン；フッ化フェニレン；オキシドアゾール；１，８−ナフタルイミド；ポリキノリン；ならびに低仕事関数の金属酸化物、特に酸化チタンおよび酸化亜鉛などが挙げられる。
【００７６】
素子はさらに、発光層と電子輸送層の間の正孔ブロック層を含み得る。この実施形態は、発光層が正孔伝導層である場合に好ましい。正孔ブロック層の一例は、２，９−ジメチル−４，７−ジフェニル−１，１０−フェナントロリン（バトクプロイン（ＢＣＰ）とも呼ばれる）である。
【００７７】
第２伝導層は陰極の役割を果たし、一般には、特にＡｌ、Ａｇ、Ｂａ、Ｃａおよびその組み合わせなどの金属陰極である。
【００７８】
本発明の実施形態において、発光素子はさらに、２５０〜５００ｎｍ、好ましくは３００〜４５０ｎｍの波長で光を発することができる光源を含む。例えば、本発明の実施形態による発光素子は、蛍光灯であることができ、そのガス充填管は、本発明の第１の態様による蛍光体を含む発光材料でコーティングされている。本発明の実施形態による発光素子の他の例は、本発明の第１の態様による発光材料の層を含む、先行技術の有機もしくは無機青色または近紫外ＬＥＤを含む。有機ＬＥＤ（ＯＬＥＤ）の場合には、本発明の第１の態様による発光材料は例えば、多層（例えば、二層）ＯＬＥＤ構造の上層を形成する。無機ＬＥＤの場合には、本発明の第１の態様による発光材料は、レンズ上および／またはＬＥＤを囲む透明ケース（好ましくは、その内側）上にコーティングされる。この目的のために、例えば、Ｌｅ  Ｇｒｏｕｐ  Ｆｏｘ，Ｉｎｃ．から市販されている３６０ｎｍで発光する５ｍｍ紫外ＬＥＤを使用することができる。
【実施例】
【００７９】
一般式［Ｍ１ｍ＋］ｘ［Ｍ２ｎ−］ｙの錯塩を製造する基本手順
（ａ）一般式［Ｍ１ｍ＋］ｘ［Ａｐ−］ｗの塩（式中、Ｍ１は、上記で示される通りに定義され、Ａは、非発光対アニオン（例えば、Ｃｌ−、Ｂｒ−、ＰＦ６−、ＢＦ４−およびＦ−、好ましくはＣｌ−）であり、ｍｘ＝ｐｗである）、および
（ｂ）一般式［Ｍ２ｎ−］ｙ［Ｃｑ＋］ｚの塩（式中、Ｍ２は、上記で示される通りに定義され、Ｃは、非発光対アニオン（例えば、Ｎａ＋、Ｋ＋、Ｌｉ＋およびＮＲ４＋、好ましくはＫ＋）であり、ｎｙ＝ｑｚである）
を、例えばメタノールなどの適切な溶媒に別々に溶解し、続いて両方の溶液を合わせる。錯塩用の非溶媒（例えば、水）を適切な量で添加し（溶媒（例えば、メタノール）の約５倍の量（体積）が通常、適切な量である）、溶媒（例えば、メタノール）を除去する（例えば、減圧下にて蒸発させる）。沈殿物を単離し（例えば、濾過し）、精製する（例えば、適切な溶離剤（例えば、メタノール）を使用してＳｅｐｈａｄｅｘカラムで）。必要な場合には、例えば、非溶媒（例えば、ヘキサン）を有する適切な溶媒中（例えば、ジクロロメタン）の所望の錯体［Ｍ１ｍ＋］ｘ［Ｍ２ｎ−］ｙの溶液をゆっくりと沈殿させることによって、または前記の適切な溶媒中の所望の錯体［Ｍ１ｍ＋］ｘ［Ｍ２ｎ−］ｙの溶液から適切な溶媒（例えば、メタノール）をゆっくりと蒸発させることによって、更なる精製を行うことができる。
【００８０】
ＥＢ１２３の合成
【化２４】
2012516924.tif 000028
ＥＢ１２３は、メタノールとジクロロメタンの溶媒混合物中の相当するクロリル架橋イリジウム二量体錯体をＫＣＮの存在下で還流することによって得られた。溶媒を蒸発させ、粗製残留物をメタノールに溶解した。水を添加し、沈殿物を濾過し、水で洗浄し、乾燥させて、錯体ＥＢ１２３を得た。
【００８１】
ＥＢＰＰｂｐの合成
【化２５】
2012516924.tif 000029
少し修正を加えて、Ｍ．Ｋ．Ｎａｚｅｅｒｕｄｄｉｎ  ｅｔ  ａｌ．，Ｉｎｏｒｇ．Ｃｈｅｍ．２００７，４６，５９８９に従って、この化合物を合成した：ジクロロメタン中の相当するクロリル架橋イリジウム二量体錯体をピリジンの存在下にて還流した後、溶媒を乾燥状態まで蒸発させた。粗製混合物を最小限の量のジクロロメタンに溶解し、ジエチルエーテルで沈殿させた。沈殿物を濾過し、ジエチルエーテルで洗浄し、乾燥させて、塩化物塩として錯体ＥＢＰＰｂｐを得た。
【００８２】
ＥＢ１２４の合成
【化２６】
2012516924.tif 000030
メタノール中のＥＢ１２３とＥＢＰＰｂｐ（比１：１）の混合物に水を添加した。メタノールを蒸発させて、沈殿物を濾過し、乾燥させ、Ｓｅｐｈａｄｅｘで精製した。このようにして得られた固形物を最小限の量のジクロロメタンに溶解し、ジエチルエーテルに注いだ。濾過し、乾燥させた後、淡いオレンジ色の固体として、ＥＢ１２４を得た。
１Ｈ  ＮＭＲ（ＣＤＣｌ３，４００ＭＨｚ）９．７８（２Ｈ，ｄ）；９．１７（２Ｈ，ｄ）；８．２１（４Ｈ，ｄ）；７．９８（２Ｈ，ｄ）；７．９３（２Ｈ，ｄ）；７．７７（２Ｈ，ｔ）；７．７１（２Ｈ，ｄ）；７．６６（２Ｈ，ｔ）；７．５１（２Ｈ，ｄ），７．３７（２Ｈ，ｔ）；７．０８（２Ｈ，ｔ），７．０２（２Ｈ，ｔ）；６．９６（４Ｈ，ｔ）；６．３１（２Ｈ，ｄ）；６．２３（２Ｈ，ｔ）；５．７５（２Ｈ，ｄ）。
【００８３】
ＥＢ８７の合成
【化２７】
2012516924.tif 000031
ＥＢ１２３の合成に関して上述される手順と同じ手順でＩｒ（２−フェニルピリジン）２ＣＮ２Ｋを合成した。Ａｎｇｅｗ．Ｃｈｅｍ．Ｉｎｔ．Ｅｄ．２００９，４８，９２７７で報告されるように、Ｒｕ（４，７−ジフェニルフェナントロリン）３Ｃｌ２を合成した。Ｉｒ（２−フェニルピリジン）２ＣＮ２ＫおよびＲｕ（４，７−ジフェニルフェナントロリン）３Ｃｌ２と共にＥＢ１２４に関して上述される手順と同じ手順を適用して、ＥＢ８７を合成し、赤みがかったオレンジ色の固体として得た。
１Ｈ  ＮＭＲ（４００ＭＨｚ，ＣＤＣｌ３）：ｄ９．５６（４Ｈ，ｄ）；８．７２（６Ｈ，ｄ）；８．１０（６Ｈ，ｓ）；７．６５−７．４１（４４Ｈ，ｍ）；７．３７（４Ｈ，ｔ）；６．７２（４Ｈ，ｔ）；６．６２（４Ｈ，ｔ）；６．３４（４Ｈ，ｔ）６．１８（４Ｈ，ｄ）。
【００８４】
ＥＢ２６５
ａ）ローダミンＢメチルエステルの合成
【化２８】
2012516924.tif 000032
ローダミンＢ（２５０ｍｇ）をメタノールに溶解した。塩化アセチル（３ｍＬ）をその溶液に一滴ずつ添加し、アルゴン雰囲気下にて混合物を５０℃に加熱した。２４時間後、塩化アセチル（３ｍＬ）を一滴ずつ添加し、混合物をさらに２４時間加熱した。溶液を乾燥状態まで蒸発させ、ＣＨ２Ｃｌ２／Ｅｔ２Ｏで溶離されるシリカゲルカラムクロマトグラフィーで精製した。
【００８５】
ｂ）ＥＢ２６５の合成
【化２９】
2012516924.tif 000033
ローダミンＢメチルエステルおよびＥＢ１２３と共にＥＢ１２４に関して上述される手順と同じ手順を適用し、ＥＢ２６５を合成し、桃色がかった紫色の固体として得た。
１Ｈ  ＮＭＲ（４００ＭＨｚ，ｄｍｓｏ−ｄ６）：ｄ９．４７（２Ｈ，ｄ）；８．２０（３Ｈ，ｍ）；８．０２（２Ｈ，ｔ）；７．８７（１Ｈ，ｔ）；７．７８（１Ｈ，ｔ）；７．４２（３Ｈ，ｍ）；７．０５−６．９３（６Ｈ，ｍ）；６．５４（２Ｈ，ｔ）；５．４８（２Ｈ，ｄｄ）；３．７６（１１Ｈ，ｍ）；１．２４（１２Ｈ，ｓ）。
【００８６】
合成ＥＢ２６６
ａ）ＥＢ２３０の合成
【化３０】
2012516924.tif 000034
ＥＢＰＰｂｐに関して上述される同じ手順（少し修正を加えて、Ｍ．Ｋ．Ｎａｚｅｅｒｕｄｄｉｎ  ｅｔ  ａｌ．，Ｉｎｏｒｇ．Ｃｈｅｍ．２００７，４６，５９８９に従った）を適用し、薄緑がかった淡黄色の固体としてＥＢ２３０を得た。
１Ｈ  ＮＭＲ（４００ＭＨｚ，ＣＤＣｌ３）：ｄ９．４１（２Ｈ，ｄ）；８．３６（２Ｈ，ｄ）；７．９４（２Ｈ，ｄ）；７．４５（２Ｈ，ｄｄ）；６．９５（２Ｈ，ｄ）；６．６６（２Ｈ，ｄｔ）；６．６４（２Ｈ，ｔ）；５．７１（２Ｈ，ｄｄ）；１．５６（１８Ｈ，ｓｂ）。
【００８７】
ｂ）Ｎ９４７の合成
【化３１】
2012516924.tif 000035
Ｉｒ（ｐｐｙ）２（ＮＣＳ）２ＴＢＡに関して上述され、かつ［Ｉｒ（２−フェニル−４−ＣＯＯＭｅ−ピリジン）２Ｃｌ］２（ＣｈｅｍＳｕｓＣｈｅｍ，２００９，２，３０５に記述されるように合成された）で開始する同じ手順を適用し、ＮおよびＳ配位種の混合物としてＮ９４７を得た。
【００８８】
ｃ）ＥＢ２６６の合成
【化３２】
2012516924.tif 000036
ＴＢＡ対カチオンのため、予試験工程が追加して、ＥＢ１２４に関して上述される同じ合成手順を適用した：ＥＢ２３０およびＮ９４７をメタノール／ＣＨ２Ｃｌ２混合物に可溶化し、水を添加する前、かつメタノールを蒸発させる前に、ジクロロメタンを蒸発させた。オレンジ色の固体としてＥＢ２６６を得た。
１Ｈ  ＮＭＲ（４００ＭＨｚ，ＣＤＣｌ３）：ｄ１０．０９（２Ｈ，ｄ）；９．５７（２Ｈ，ｄ）；９．２９（２Ｈ，ｄ）；９．２１（２Ｈ，ｄ）；８．９２（６Ｈ，ｂｓ）；８．４４（６Ｈ，ｄ）；８．３２（６Ｈ，ｄ）；７．９３（６Ｈ，ｄ）；７．７９（２Ｈ，ｄ）；７．７５−７．５５（８Ｈ，ｍ）；７．４６（８Ｈ，ｍ）；７．０８（６Ｈ，ｂｓ）；６．８８（４Ｈ，ｍ）；６．８２−６．５５（１８Ｈ，ｍ）；６．１２（４Ｈ，ｍ）；６．０２（２Ｈ，ｄ）；５．７１（６Ｈ，ｄ）；４．１４（６Ｈ，ｓ）；４．１３（３Ｈ，ｓ）；４．１２（３Ｈ，ｓ）；４．０６（６Ｈ，ｓ）；１．５３（５４Ｈ，ｓ）。
【００８９】
ＥＢ２６７の合成：
ａ）ＥＢ２０６（Ｈ）２の合成
【化３３】
2012516924.tif 000037
以前に報告されているように、ＥＢ２０６（Ｈ）２を合成した（ＣｈｅｍＳｕｓＣｈｅｍ，２００９，２，３０５）：水酸化テトラブチルアンモニウム２０当量と共にメタノール中で相当するメチルエステルＥＢ２０６を室温にて一晩攪拌した。次いで、脱イオン水を添加し、メタノールを蒸発させた。希塩酸水溶液を添加することによって、酸置換錯体を沈殿させ、濾過し、脱イオン水で洗浄し、溶離液としてメタノールを用いた、親油性Ｓｅｐｈａｄｅｘ（登録商標）カラムで精製した。
１Ｈ  ＮＭＲ（４００ＭＨｚ；ＤＭＦ−ｄ７）：δ９．１８（２Ｈ，ｓ）；８．８１（２Ｈ，ｄ）；８．７８（２Ｈ，ｄ）；８．６１（２Ｈ，ｄ）；８．１８（２Ｈ，ｄ）；７．７８（２Ｈ，ｔ）；７．６２（２Ｈ，ｔ）；７．５２（２Ｈ，ｄｄ）；７．２８（２Ｈ，ｔ）；６．６５（２Ｈ，ｔ）；６．２６（２Ｈ，ｄｄ）；５．２７（１Ｈ，ｓ）；１．７２（６Ｈ，ｓ）。
【００９０】
ｂ）ＥＢ２６７の合成
【化３４】
2012516924.tif 000038
ＥＢ２０６（Ｈ）２を０．１Ｍ  ＮａＯＨ水溶液に溶解し、ＥＢ２３０を粉末として添加した。溶液が得られるまで、メタノールを懸濁液に添加した。次いで、沈殿するまで、水を添加した。濾過し、続いて水で洗浄することによって、淡赤色の固体が得られた。溶離液としてメタノールを用いた、親油性Ｓｅｐｈａｄｅｘ（登録商標）カラムで、その固体を精製した。最初の画分を蒸発させ、最小限の量のメタノールに可溶化し、エーテルに注いだ。沈殿物を濾過し、エーテルで洗浄した。
１Ｈ  ＮＭＲ（４００ＭＨｚ；ＣＤ３ＯＤ）：δ９．１１（２Ｈ，ｓ）；８．８０（２Ｈ，ｄ）；８．７３（４Ｈ，ｄ）；８．６３（２Ｈ，ｄ）；８．５３（４Ｈ，ｄ）；８．４１（２Ｈ，ｄ）；８．０４（４Ｈ，ｄ）；７．９４（２Ｈ，ｄ）；７．６４（４Ｈ，ｄｄ）；７．５０（２Ｈ，ｔ）；７．２９（２Ｈ，ｄｄ）；７．１６（２Ｈ．ｄｔ）；７．１０（４Ｈ，ｄ）；６．８２（４Ｈ，ｄｄｄ）；６．６７（４Ｈ，ｔ）；６．５４（２Ｈ，ｔ）；６．２９（２Ｈ，ｄ）；５．７２（４Ｈ，ｄｄ）；５．１９（１Ｈ，ｓ）；１．７２（６Ｈ，ｓ）；１．４７（３６Ｈ，ｓ）。
【００９１】
ＥＢ１２３（破線）、ＥＢＰＰｂｐ（四角）、ＥＢ１２４（丸）のＤＭＳＯにおける吸収スペクトル、およびＥＢＰＰｂｐのスペクトルへのＥＢ１２３のスペクトルの追加を図１に示す。ＥＢ１２４の吸収スペクトルは、ＥＢ１２３とＥＢＰＰｂｐの吸収スペクトルの合計に非常に近い。これは、それらの基底状態での両方の部位間の相互作用が全くないか、または低く、化学量論が１：１であることを意味している。
【００９２】
図２は、３５０ｎｍでの励起の下での、非脱気ＤＭＳＯにおけるＥＢ１２３の発光スペクトルを示す。それは、４８４ｎｍ（実線）で最大発光を有する青色光を発する。４５４ｎｍで追跡された吸収（バツ印）および励起スペクトル（丸）も示す。中間の高さでのラインの幅。
【００９３】
（ＦＷＭＨ）は８１ｎｍに等しい。ｘ色度座標（ＣＩＥ１９３１）は０．１６９に等しい。ｙ色度座標（ＣＩＥ１９３１）は０．２９１に等しい。
【００９４】
図３は、３５０ｎｍでの励起の下での、非脱気ＤＭＳＯにおけるＥＢＰＰｂｐの発光スペクトルを示す。それは、６０７ｎｍ（実線）で最大発光を有するオレンジ色を発する。６０７ｎｍで追跡された吸収（バツ印）および励起スペクトル（丸）も示す。ＦＷＭＨは１１９ｎｍに等しい。ｘ色度座標（ＣＩＥ１９３１）は０．５５５に等しい。ｙ色度座標（ＣＩＥ１９３１）は０．４３７に等しい。
【００９５】
図４は、非脱気ＤＭＳＯ溶液におけるＥＢ１２４の発光スペクトルを示す。励起は３５０ｎｍで行われた。最大吸収の波長は４８３ｎｍである。ＦＷＭＨは２２４ｎｍである。ｘ色度座標（ＣＩＥ１９３１）は０．３７４に等しい。ｙ色度座標（ＣＩＥ１９３１）は０．３７０に等しい。
【００９６】
ＥＢ１２４およびＰＶＰマトリックスを含む発光材料
０．２５重量％または４．４重量％の量（乾燥重量）でＥＢ１２４をＰＶＰ溶液に溶解した。溶液を透明基材上にコーティングした。以下のＣＩＥ１９３１座標：
４．４重量％のフィルムでは（０．４０，０．４９）
０．２５重量％のフィルムでは（０．３８，０．４４）
を有する白色光が観察された。
【００９７】
ＮＭＲ分光法
Ｂｒｕｋｅｒ  ＡＶ  ４００分光計を使用して、ＮＭＲスペクトルを報告した。
【００９８】
ＵＶ−ＶＩＳ分光法
ＨＰ８４５２Ａで紫外−可視スペクトルを測定し、紫外−可視スペクトルの測定を１０−７ｍＭ〜１０−４ｍＭのＤＭＳＯ溶液濃度で行った。
【００９９】
フォトルミネセンス分光法
９０℃の光学幾何（ｏｐｔｉｃａｌ  ｇｅｏｍｅｔｒｙ）を用いて、Ｓｐｅｘ  Ｆｌｕｏｒｏｌｏｇ  １１２スペクトロフルオロメーターでフォトルミネセンススペクトルを測定した。フォトルミネセンススペクトルの測定（濃度１０−７ｍＭ〜１０−４ｍＭでの）は、室温にてＤＭＳＯ溶液中で行った。
【０１００】
色度
色度座標を以下のように決定した：ＣＩＥ色度座標の計算値は、各波長でのスペクトルパワーに、３つの等色関数それぞれからの重み係数を掛けることによって決定された。これらの寄与（ｃｏｎｔｒｉｂｕｔｉｏｎ）を合計すると、Ｘ、ＹおよびＺ値三刺激値が得られ、それから、色度座標がｘ＝Ｘ／（Ｘ＋Ｙ＋Ｚ）およびｙ＝Ｙ／（Ｘ＋Ｙ＋Ｚ）と誘導される。
【図１】
2012516924.tif 000052
【図２】
2012516924.tif 000053
【図３】
2012516924.tif 000054
【図４】
2012516924.tif 000055
【図５】
2012516924.tif 000056
【図６】
2012516924.tif 000057
【図７】
2012516924.tif 000058
【図８】
2012516924.tif 000059
【国際調査報告】
2012516924.tif 000060
2012516924.tif 000061
2012516924.tif 000062
2012516924.tif 000063
2012516924.tif 000064
2012516924.tif 000065